(57)【要約】  デバイス間D2D発見方法及び基地局、ユーザ装置であって、該方法は、ユーザ装置は基地局（eNB）がユーザ装置に配分した発見信号リソースを取得し、前記発見信号リソースが、発見信号を送信又はモニターするための時間周波数領域リソースを含むことと、ユーザ装置がD2D発見操作を行う場合、取得した発見信号リソースにより発見信号を送信又はモニターすることによりD2D発見を行うことと、を含む。【選択図】図2
2016519523.tif 000002
【特許請求の範囲】
【請求項１】
ユーザ装置は基地局（eNB）がユーザ装置に配分した発見信号リソースを取得し、前記発見信号リソースは発見信号を送信又はモニターするための時間周波数領域リソースを含むことと、
ユーザ装置はD2D発見操作を行う場合、取得した発見信号リソースにより発見信号を送信又はモニターすることによりD2D発見を行うことと、を含むデバイス間D2D発見方法。
【請求項２】
前記発見信号リソースは、発見信号を送信又はモニターするためのコードシーケンスリソースを更に含む請求項1に記載の方法。
【請求項３】
基地局がユーザ装置に配分した発見信号リソースは、
ユーザ装置の状態により配分された異なる発見信号リソース、
ユーザ装置の位置により配分された異なる発見信号リソース、
ユーザ装置のアプリケーションタイプにより配分された異なる発見信号リソース、及び
ユーザ装置の優先度により配分された異なる発見信号リソース、の中の1種又は数種を少なくとも含む請求項1に記載の方法。
【請求項４】
前記ユーザ装置が、基地局がユーザ装置に配分した発見信号リソースを取得することは、
ユーザ装置が、基地局がブロードキャストした発見信号リソースセットを受信すること、又は
基地局が専有シグナリングにより該ユーザ装置に配分した発見信号リソースを受信すること、又は
基地局がブロードキャストした発見信号リソースセットを受信し、そのうちから発見信号リソースを選択した後、基地局により調整確認を行うこと、又は
基地局が専有シグナリングにより該ユーザ装置に送信した発見信号リソースセットを受信し、ユーザ装置がそのうちから発見信号リソースを選択した後、eNBにより調整確認を行うこと、又は
基地局がブロードキャストした発見信号リソースセットを受信し、ユーザ装置が発見信号リソースに対して測定するとともに基地局に報告し、基地局がユーザ装置の測定結果によりユーザ装置のために適当な発見信号リソースを選択すること、又は
基地局が専有シグナリングにより該ユーザ装置に送信した発見信号リソースセットを受信し、ユーザ装置が発見信号リソースに対して測定するとともに基地局に報告し、基地局がユーザ装置の測定結果によりユーザ装置のために適当な発見信号リソースを選択すること、又は
基地局がブロードキャストと専有シグナリングの組合せ方式により該ユーザ装置に配分した発見信号リソースを受信すること、を含む請求項3に記載の方法。
【請求項５】
前記ユーザ装置が、基地局がブロードキャストと専有シグナリングの組合せ方式により該ユーザ装置に配分した発見信号リソースを受信することは、
設定された条件で、ユーザ装置は基地局がブロードキャストした発見信号リソースセットを受信し、及び基地局が専有シグナリングにより該ユーザ装置に配分した発見信号リソースを受信すること、又は
ユーザ装置は基地局がブロードキャストした発見信号リソースセットを受信し、及び基地局が専有シグナリングにより該ユーザ装置に配分した発見信号リソースシリアル番号指示を受信し、前記ユーザ装置は受信したシリアル番号指示により発見信号リソースセットから該ユーザ装置に配分した発見信号リソースを取得すること、を含む請求項4に記載の方法。
【請求項６】
ユーザ装置及び/又は他の基地局がリソース請求を送信し、前記リソース請求がユーザ装置の能力、ユーザ装置のタイプを含むことと、
前記基地局が前記リソース請求を受信した後、ユーザ装置に発見信号リソースを配分することと、を更に含む請求項4に記載の方法。
【請求項７】
ユーザ装置の状態は接続状態とアイドル状態を含む請求項3〜6のいずれか一項に記載の方法。
【請求項８】
前記基地局がユーザ装置の状態により配分した発見信号リソースは、グループAリソース及びグループBリソースを含み、
グループAリソースは基地局が接続状態のユーザ装置に配分して使用する発見信号リソースであり、
グループBリソースは基地局がアイドル状態のユーザ装置に配分して使用する発見信号リソースである請求項7に記載の方法。
【請求項９】
前記基地局がグループAリソースプール及びグループBリソースプールにおけるリソースを動的に調整することは、グループAリソースプールとグループBリソースプールのそれぞれのリソースプールにおけるリソース数の調整、及びリソースプールにおけるリソースの時間周波数及び/又はコードリソースの相互の間の組合せの調整を含む請求項8に記載の方法。
【請求項１０】
ユーザ装置の位置はユーザ装置がセルエッジ又はセル中心にあることである請求項3に記載の方法。
【請求項１１】
前記基地局は接続状態のユーザ装置のセルでの位置が異なることにより、異なるグループAリソースを配分し、
基地局はセルエッジ領域にある接続状態のユーザ装置にセルエッジグループAリソースを配分し、及び
基地局はセル中心領域にある接続状態のユーザ装置にセル中心グループAリソースを配分する請求項10に記載の方法。
【請求項１２】
基地局はセルエッジ領域にある接続状態のユーザ装置に前記セルの隣接セルエッジ領域と異なるセルエッジグループAリソースを配分する請求項11に記載の方法。
【請求項１３】
接続状態のユーザ装置がセルの異なる領域に移動する場合、基地局は再び前記接続状態のユーザ装置に、前記セル領域に属するグループAリソースを配分する請求項11又は12に記載の方法。
【請求項１４】
基地局はグループAリソースにおける各セルエッジグループAリソースプールとセル中心グループAリソースプールのリソースを動的に調整し、各セルエッジグループAリソースプールとセル中心グループAリソースプールにおけるリソース数の調整、及びリソースプールにおけるリソースの時間周波数及び/又はコードリソースの相互の間の組合せの調整を含む請求項13に記載の方法。
【請求項１５】
基地局はグループAリソースを配分する際、まず高優先度の接続状態のユーザ装置に発見信号リソースを配分する請求項8に記載の方法。
【請求項１６】
基地局は低優先度の接続状態のユーザ装置が使用するグループAリソースを高優先度の接続状態のユーザ装置に配分する請求項8に記載の方法。
【請求項１７】
基地局はグループAリソースを配分する場合、ユーザ装置のアプリケーションタイプにより、発見信号リソースの使用可能な期限、発見信号の使用方式を配分し、
前記発見信号リソースの使用可能な期限はグループAリソースがユーザ装置に使用されることができる時間長さであり、
前記発見信号の使用される方式は、発見信号を送信する周期、開始の具体的な位置又は開始及び偏移位置と持続的に送信する有効時間を含み、又は
前記発見信号の使用される方式は、発見信号の使用される方式を導出する関連情報を含む請求項8に記載の方法。
【請求項１８】
ユーザ装置の使用するグループAリソースの使用期限が満期した後、基地局は使用するグループAリソースをリリースすることをユーザ装置に指示し、前記グループAリソースを他のユーザ装置に配分し、
又は、ユーザ装置は使用するグループAリソースの使用期限が満期した後、まだ使用する必要がある場合、基地局へ契約延長申請を提出し、基地局は契約延長申請を処理し、
前記基地局が更新申請に対し行う処理は、契約延長同意、リソース変換、リソースリリースを含む請求項17に記載の方法。
【請求項１９】
ユーザ装置が使用するグループAリソースをリリースした後、まだ発見信号を使用する必要があると、再び基地局へ申請する必要がある請求項18に記載の方法。
【請求項２０】
前記基地局は、
ユーザ装置の所在する位置領域に変化が発生すること、発見信号リソースが不足であること、発見信号リソースの使用に干渉問題が存在すること、とのいずれかの場合に、使用するグループAリソースをリリースすることをユーザ装置に指示する請求項18に記載の方法。
【請求項２１】
ユーザ装置は配分されたグループAリソースの使用可能な期限が満期する前に、メッセージを送信して事前に該グループAリソースをリリースすることを請求し、基地局はメッセージを受信した後前記グループAリソースを他のユーザ装置に配分する請求項18に記載の方法。
【請求項２２】
前記基地局はアイドル状態にあるユーザ装置にグループBリソースプールのリソースセットを配分する請求項8に記載の方法。
【請求項２３】
前記基地局はブロードキャストによりグループBリソースセット情報を、属するセルのアイドル状態のユーザ装置に送信し、
アイドル状態のユーザ装置はグループBリソースセットを受信し、
アイドル状態のユーザ装置はグループBリソースセットから発見信号リソースを選択して発見情報を送信する請求項8に記載の方法。
【請求項２４】
アイドル状態のユーザ装置はグループBリソースセットに対応する発見信号リソースをモニターし、干渉が小さいリソースを選択する請求項23に記載の方法。
【請求項２５】
アイドル状態のユーザ装置が選択したグループBリソースはセル内に持続的に使用される請求項23に記載の方法。
【請求項２６】
グループBリソースは基地局により発見信号の使用される方式を予め設定され、
前記発見信号の使用される方式は、発見信号を送信する周期、開始の具体的な位置又は開始及び偏移位置と持続的に送信する有効時間を含み、又は
前記発見信号の使用される方式は発見信号の使用される方式を導出する関連情報を含む請求項8に記載の方法。
【請求項２７】
ユーザ装置はグループBリソースを使用する際、他のリソース及び/又は他の信号との干渉が大きいと発見すると、再びグループBリソースプールから適当なグループBリソースを選択し、多回に選択されたグループBリソース干渉がいずれも大きいと、ユーザ装置は無線リソース制御RRC接続確立を開始することができ、接続状態に進入し、グループAリソースを配分してD2D発見操作を行うことを基地局へ申請し、同時に基地局へグループBリソース干渉状態の指示をフィードバックする請求項26に記載の方法。
【請求項２８】
同じのグループBリソースセットを、ネットワーク管理システムが統一に設定し及び/又は異なる基地局が調整配分することができる請求項27に記載の方法。
【請求項２９】
基地局（eNB）がユーザ装置に配分した発見信号リソースを取得し、前記発見信号リソースが、発見信号を送信又はモニターするための時間周波数領域リソースを含むように設定される取得モジュールと、
該ユーザ装置がデバイス間（D2D）発見操作を行う必要がある際、前記取得モジュールが取得した発見信号リソースにより発見信号を送信又はモニターすることによりD2D発見を行うように設定される処理モジュールと、を含むユーザ装置。
【請求項３０】
前記発見信号リソースは、発見信号を送信又はモニターするためのコードシーケンスリソースを更に含む請求項29に記載のユーザ装置。
【請求項３１】
前記取得モジュールは、
eNBがブロードキャストした発見信号リソースセットを受信し、又は
eNBが専有シグナリングにより該ユーザ装置に配分した発見信号リソースを受信し、又は
eNBがブロードキャストした発見信号リソースセットを受信し、そのうちから発見信号リソースを選択した後、eNBにより調整確認を行い、又は
eNBが専有シグナリングにより該ユーザ装置に送信した発見信号リソースセットを受信し、そのうちから発見信号リソースを選択した後、eNBが調整確認を行い、又は
eNBがブロードキャストした発見信号リソースセットを受信し、発見信号リソースに対して測定するとともにeNBに報告し、eNBが前記取得モジュールの測定結果によりユーザ装置のために適当な発見信号リソースを選択し、又は
eNBが専有シグナリングにより該ユーザ装置に送信した発見信号リソースセットを受信し、発見信号リソースに対して測定するとともにeNBに報告し、eNBが前記取得モジュールの測定結果によりユーザ装置のために適当な発見信号リソースを選択し、又は
eNBがブロードキャストと専有シグナリングの組合せ方式により該ユーザ装置に配分した発見信号リソースを受信する、という方式により、基地局がユーザ装置に配分した発見信号リソースを取得する請求項29に記載のユーザ装置。
【請求項３２】
前記処理モジュールは更に、基地局へリソース請求を送信することにより該ユーザ装置に発見信号リソースを配分することを基地局に請求し、前記リソース請求がユーザ装置の能力、ユーザ装置のタイプを含むように設定される請求項29〜31のいずれか一項に記載のユーザ装置。
【請求項３３】
ユーザ装置に発見信号リソースを配分し、前記発見信号リソースが、発見信号を送信するための時間周波数領域リソースを含むように設定される設定モジュールと、
ユーザ装置に配分する発見信号リソースをユーザ装置に通知するように設定される送受信モジュールと、を含む基地局。
【請求項３４】
前記発見信号リソースは、発見信号を送信するためのコードシーケンスリソースを更に含む請求項33に記載の基地局。
【請求項３５】
前記設定モジュールがユーザ装置に配分した発見信号リソースは、
ユーザ装置の状態により異なる発見信号リソースを配分すること、
ユーザ装置の位置により異なる発見信号リソースを配分すること、
ユーザ装置のアプリケーションタイプにより、異なる発見信号リソースを配分すること、
ユーザ装置の優先度により異なる発見信号リソースを配分すること、との1種又は数種を少なくとも含む請求項33に記載の基地局。
【請求項３６】
前記送受信モジュールは、
ブロードキャストにより発見信号リソースセットを送信し、又は
専有シグナリングによりユーザ装置に発見信号リソースを配分し、又は
ブロードキャストにより発見信号リソースセットを送信し、且つユーザ装置が選択した後、調整確認を行い、又は
専有シグナリングによりユーザ装置に発見信号リソースセットを送信し、ユーザ装置がそのうちから発見信号リソースを選択した後、調整確認を行い、又は
ブロードキャストにより発見信号リソースセットを送信し、ユーザ装置が受信した後発見信号リソースに対して測定するとともに報告し、そしてユーザ装置の測定結果によりユーザ装置のために適当な発見信号リソースを選択し、又は
専有シグナリングによりユーザ装置に発見信号リソースセットを送信し、ユーザ装置が受信した後発見信号リソースに対して測定するとともに報告し、そしてユーザ装置の測定結果によりユーザ装置のために適当な発見信号リソースを選択し、又は
ブロードキャストと専有シグナリングの組合せ方式によりユーザ装置に発見信号リソースを配分する、という方式により、ユーザ装置に配分する発見信号リソースをユーザ装置に通知する請求項33に記載の基地局。
【請求項３７】
前記送受信モジュールは、
前記送受信モジュールが発見信号リソースセットをブロードキャストし、設定された条件で、専有シグナリングによりユーザ装置に発見信号リソースを配分し、又は
前記送受信モジュールが発見信号リソースセットをブロードキャストし、専有シグナリングによりユーザ装置に発見信号リソースシリアル番号指示を配分することにより、シリアル番号によって発見信号リソースセットから該ユーザ装置に配分した発見信号リソースを取得することをユーザ装置に指示する、という方式により、ブロードキャストと専有シグナリングの組合せ方式によりユーザ装置に発見信号リソースを配分する請求項36に記載の基地局。
【請求項３８】
前記送受信モジュールは更に、ユーザ装置及び/又は他のeNBが送信したリソース請求を受信し、前記リソース請求がユーザ装置の能力、ユーザ装置のタイプを含むように設定され、
前記設定モジュールは、前記リソース請求を受信した後、ユーザ装置に発見信号リソースを配分するように設定される請求項35に記載の基地局。
【請求項３９】
前記設定モジュールは、ユーザ装置の状態により発見信号リソースを配分し、前記発見信号リソースがグループAリソース及びグループBリソースを含み、
グループAリソースが、eNBが接続状態のユーザ装置に配分して使用する発見信号リソースであり、
グループBリソースが、eNBがアイドル状態のユーザ装置に配分して使用する発見信号リソースであるように設定される請求項35に記載の基地局。
【請求項４０】
前記設定モジュールは更に、グループAリソースプール及びグループBリソースプールにおけるリソースを動的に調整し、グループAリソースプールとグループBリソースプールのそれぞれのリソースプールにおけるリソース数の調整、及びリソースプールにおけるリソースの時間周波数及び/又はコードリソースの相互の間の組合せの調整を含むように設定される請求項36に記載の基地局。
【請求項４１】
前記設定モジュールは、接続状態のユーザ装置のセルでの位置が異なることにより、異なるグループAリソースを配分するように設定され、
eNBはセルエッジ領域にある接続状態のユーザ装置にセルエッジグループAリソースを配分し、
eNBはセル中心領域にある接続状態のユーザ装置にセル中心グループAリソースを配分する請求項35又は38に記載の基地局。
【請求項４２】
前記設定モジュールは、セルエッジ領域にある接続状態のユーザ装置に、前記セルの隣接セルエッジ領域と異なるセルエッジグループAリソースを配分するように設定される請求項41に記載の基地局。
【請求項４３】
前記設定モジュールは、接続状態のユーザ装置がセルの異なる領域に移動する場合、再び前記接続状態のユーザ装置に、前記セル領域に属するグループAリソースを配分するように設定される請求項41に記載の基地局。
【請求項４４】
前記設定モジュールは、グループAリソースにおける各セルエッジグループAリソースプールとセル中心グループAリソースプールのリソースを動的に調整し、各セルエッジグループAリソースプールとセル中心グループAリソースプールにおけるリソース数の調整、及びリソースプールにおけるリソースの時間周波数及び/又はコードリソースの相互の間の組合せの調整を含むように設定される請求項41に記載の基地局。
【請求項４５】
前記設定モジュールは、グループAリソースを配分する際、まず高優先度の接続状態のユーザ装置に発見信号リソースを配分するように設定される請求項41に記載の基地局。
【請求項４６】
前記設定モジュールは、低優先度の接続状態のユーザ装置が使用するグループAリソースを、高優先度の接続状態のユーザ装置に配分するように設定される請求項41に記載の基地局。
【請求項４７】
前記設定モジュールは、グループAリソースを配分する際、ユーザ装置のアプリケーションタイプにより、発見信号リソースの使用可能な期限、発見信号の使用方式を配分するように設定され、
前記発見信号リソースの使用可能な期限はグループAリソースがユーザ装置に使用されることができる時間長さであり、
前記発見信号の使用される方式は、発見信号を送信する周期、開始の具体的な位置又は開始及び偏移位置と持続的に送信する有効時間を含み、又は
前記発見信号の使用される方式は、発見信号の使用方式を導出する関連情報を含む請求項39に記載の基地局。
【請求項４８】
前記設定モジュールは、ユーザ装置により、使用するグループAリソースの使用期限が満期する指示を送信する場合、使用するグループAリソースをリリースすることをユーザ装置に指示し、前記グループAリソースを他のユーザ装置に配分し、
又は、ユーザ装置が該基地局へ契約延長申請を提出する際、契約延長申請を処理するように設定され、
前記設定モジュールが契約延長申請に行った処理は契約延長同意、リソース変換、リソースリリースを含む請求項39に記載の基地局。
【請求項４９】
前記送受信モジュールは更に、
ユーザ装置の所在する位置領域に変化が発生すること、発見信号リソースが不足であること、発見信号リソースの使用に干渉問題が存在すること、といういずれかの場合に、使用するグループAリソースをリリースすることをユーザ装置に指示するように設定される請求項39に記載の基地局。
【請求項５０】
前記送受信モジュールは更に、ユーザ装置が送信した、事前にグループAリソースをリリースするメッセージ請求を受信するように設定され、
設定モジュールは更に、該基地局が前記メッセージ請求を受信した後、前記グループAリソースを他のユーザ装置に配分するように設定される請求項39に記載の基地局。
【請求項５１】
前記設定モジュールは、アイドル状態にあるユーザ装置にグループBリソースプールのリソースセットを配分するように設定される請求項39に記載の基地局。
【請求項５２】
前記送受信モジュールは、ブロードキャストによりグループBリソースセット情報を、属するセルのアイドル状態のユーザ装置に送信するように設定される請求項39に記載の基地局。
【請求項５３】
グループBリソースは設定モジュールにより発見信号の使用される方式を予め設定し、
前記発見信号の使用される方式は発見信号を送信する周期、開始の具体的な位置又は開始及び偏移位置と持続的に送信する有効時間を含み、又は
前記発見信号の使用される方式は発見信号の使用される方式を導出する関連情報を含む請求項51に記載の基地局。
【発明の詳細な説明】
【技術分野】
【０００１】
本発明は無線通信技術分野に関し、特にデバイス間（D2D）発見方法及び基地局、ユーザ装置に関する。
【背景技術】
【０００２】
無線マルチメディアサービスの発展に従って、高データ速度及びユーザ体験に対する需要は徐々に増加していることにより、従来のセルラーネットワークのシステム容量及び範囲に高い要求を提出する。一方、ソーシャルネットワーク、近距離データシェア、地方広告等のアプリケーションの普及により、人々が付近の興味がある人又はものを了解してそれと通信する（Proximity Services、付近サービス）需要は次第に増加している。従来の基地局をデータ伝達ノード中心とするセルラーネットワークは高データ速度及び付近サービスのサポート方面で明らかな制限性が存在し、このような需要の背景で、将来の通信技術の発展傾向を代表するD2D（Device-to-Device、デバイス間）技術は出現する。D2D技術の適用により、セルラーネットワークの負荷を減少し、ユーザ装置の電池消耗を減少し、データ速度を向上させ、且つネットワーク基礎施設のロバスト性を改善することができ、上記高データ速度サービス及び付近サービスの要求を良く満たす。
【０００３】
D2D技術は授権バンド又は非授権バンドで作動することができ、D2D機能をサポートする複数のユーザ装置（即ち、D2Dユーザ装置、D2D User Equipment、D2D UE）が、ネットワーク基礎施設があるか又はネットワーク基礎施設がない場合に直接発見/直接通信を行うことを許可する。D2Dのアプリケーションシーンは主に以下の3種がある。
【０００４】
1）UE1とUE2は、セルラーネットワークの範囲でデータ交換を行い、ユーザプレーンのデータがネットワーク基礎施設を経由しない、図1に示すモード1である。
2）弱/無カバー領域のUE中継伝送において、図1におけるモード2に示すように、信号品質が悪いUE4が、付近でネットワークにカバーされたUE3によりネットワークと通信することを許可し、オペレータが範囲を拡張して、容量を向上させることに寄与する。
3）地震又は緊急状況が発生し、セルラーネットワークは正常に作動することができない場合に、デバイス間の直接通信を許可し、図1におけるモード3に示すように、UE5、UE6及びUE7間の制御プレーン及びユーザプレーンはいずれもネットワーク基礎施設を経由せずに1つのホップ又は複数のホップのデータ通信を行う。
【０００５】
D2D技術は普通にD2D発見技術とD2D通信技術を含む。
D2D発見技術とは、2つ又は複数のD2Dユーザ装置の間の相互隣接（例えば、D2D直接通信を行うことができる範囲内にある）を判断/確定するか又は第1ユーザ装置が第2ユーザ装置に隣接することを判断/確定することに用いられる技術である。普通に、D2Dユーザ装置間は発見信号/情報を送信又は受信することにより相手を発見し、セルラーネットワークにカバーされる場合に、ネットワークはD2Dユーザ装置に補助してD2D発見を行うことができる。
D2D通信技術とは、D2Dユーザ装置の間に一部又は全部の通信データがネットワーク基礎施設によらず直接に通信する技術である。
【０００６】
ユーザ装置の間でD2D発見を行う場合、普通にその間に発見信号を送信して探知する必要があり、相手はこの信号を受信することができる場合、両者の間が隣接であると表明し、次に、更に基地局との情報交換又は直接ユーザ装置の間の情報交換により、両者の間の発見を完成する。現在、ネットワークにカバーされたシーンでのD2D発見において、普通にユーザ装置が競争により発見信号リソースを取得するか又はeNBがユーザ装置に統一に発見信号リソースを配分する方式を採用し、これらの方法において、ユーザ装置の状態及びユーザ装置のセルでの位置をいずれも考えておらず、信号リソースの利用率低下及び信号リソース間の衝突を引き起こし易い。
【発明の概要】
【発明が解決しようとする課題】
【０００７】
本発明は、D2D発見の信頼性を向上させるD2D発見方法及び基地局、ユーザ装置を提供する。
【課題を解決するための手段】
【０００８】
本発明の実施例はD2D発見方法を開示し、
ユーザ装置は基地局（eNB）がユーザ装置に配分した発見信号リソースを取得し、前記発見信号リソースは発見信号を送信又はモニターするための時間周波数領域リソースを含むことと、
ユーザ装置はD2D発見操作を行う場合、取得した発見信号リソースにより発見信号を送信又はモニターすることによりD2D発見を行うことと、を含む。
【０００９】
好ましくは、上記方法において、前記発見信号リソースは、発見信号を送信又はモニターするためのコードシーケンスリソースを更に含む。
【００１０】
好ましくは、上記方法において、基地局がユーザ装置に配分した発見信号リソースは、
ユーザ装置の状態により配分された異なる発見信号リソース、
ユーザ装置の位置により配分された異なる発見信号リソース、
ユーザ装置のアプリケーションタイプにより配分された異なる発見信号リソース、
ユーザ装置の優先度により配分された異なる発見信号リソースのうちの1種又は数種を少なくとも含む。
【００１１】
好ましくは、上記方法において、前記ユーザ装置が基地局がユーザ装置に配分した発見信号リソースを取得することは、
ユーザ装置は基地局がブロードキャストした発見信号リソースセットを受信すること、又は
基地局が専有シグナリングにより該ユーザ装置に配分した発見信号リソースを受信すること、又は
基地局がブロードキャストした発見信号リソースセットを受信し、そのうちから発見信号リソースを選択した後、基地局が調整確認を行うこと、又は
基地局が専有シグナリングにより該ユーザ装置に送信した発見信号リソースセットを受信し、ユーザ装置がそのうちから発見信号リソースを選択した後、eNBが調整確認を行うこと、又は
基地局がブロードキャストした発見信号リソースセットを受信し、ユーザ装置が発見信号リソースに対して測定するとともに基地局に報告し、基地局がユーザ装置の測定結果によりユーザ装置のために適当な発見信号リソースを選択すること、又は
基地局が専有シグナリングにより該ユーザ装置に送信した発見信号リソースセットを受信し、ユーザ装置が発見信号リソースに対して測定するとともに基地局に報告し、基地局がユーザ装置の測定結果によりユーザ装置のために適当な発見信号リソースを選択すること、又は
基地局がブロードキャストと専有シグナリングの組合せ方式により該ユーザ装置に配分した発見信号リソースを受信することを含む。
【００１２】
好ましくは、上記方法において、前記ユーザ装置は基地局がブロードキャストと専有シグナリングの組合せ方式により該ユーザ装置に配分した発見信号リソースを受信することは、
設定された条件で、ユーザ装置は基地局がブロードキャストした発見信号リソースセットを受信し、及び基地局が専有シグナリングにより該ユーザ装置に配分した発見信号リソースを受信すること、又は
ユーザ装置は基地局がブロードキャストした発見信号リソースセットを受信し、及び基地局が専有シグナリングにより該ユーザ装置に配分した発見信号リソースシリアル番号指示を受信し、前記ユーザ装置は受信したシリアル番号指示により発見信号リソースセットから該ユーザ装置に配分した発見信号リソースを取得することを含む。
【００１３】
好ましくは、上記方法は、
ユーザ装置及び/又は他の基地局がリソース請求を送信し、前記リソース請求がユーザ装置の能力、ユーザ装置のタイプを含むことと、
前記基地局が上記リソース請求を受信した後、ユーザ装置に発見信号リソースを配分することと、を更に含む。
【００１４】
好ましくは、上記方法において、ユーザ装置の状態は接続状態とアイドル状態を含む。
【００１５】
好ましくは、上記方法において、前記基地局がユーザ装置の状態により配分した発見信号リソースはグループAリソース及びグループBリソースを含み、グループAリソースは基地局が接続状態のユーザ装置に配分して使用した発見信号リソースであり、グループBリソースは基地局がアイドル状態のユーザ装置に配分して使用した発見信号リソースである。
【００１６】
好ましくは、上記方法において、前記基地局はグループAリソースプール及びグループBリソースプールにおけるリソースを動的に調整し、グループAリソースプールとグループBリソースプールのそれぞれのリソースプールにおけるリソース数の調整、及びリソースプールにおけるリソースの時間周波数及び/又はコードリソースの相互組合せの調整を含む。
【００１７】
好ましくは、上記方法において、ユーザ装置の位置はユーザ装置がセルエッジ又はセル中心にあることである。
【００１８】
好ましくは、上記方法において、前記基地局は接続状態のユーザ装置のセルでの位置が異なることにより、異なるグループAリソースを配分し、
基地局はセルエッジ領域にある接続状態のユーザ装置にセルエッジグループAリソースを配分し、
基地局はセル中心領域にある接続状態のユーザ装置にセル中心グループAリソースを配分する。
【００１９】
好ましくは、上記方法において、基地局はセルエッジ領域にある接続状態のユーザ装置に、前記セルの隣接セルエッジ領域と異なるセルエッジグループAリソースを配分する。
【００２０】
好ましくは、上記方法において、接続状態のユーザ装置がセルの異なる領域に移動する場合、基地局は再び前記接続状態のユーザ装置に前記セル領域に属するグループAリソースを配分する。
【００２１】
好ましくは、上記方法において、基地局はグループAリソースにおける各セルエッジグループAリソースプールとセル中心グループAリソースプールのリソースを動的に調整し、各セルエッジグループAリソースプールとセル中心グループAリソースプールにおけるリソース数の調整、及びリソースプールにおけるリソースの時間周波数及び/又はコードリソースの相互組合せの調整を含む。
【００２２】
好ましくは、上記方法において、基地局はグループAリソースを配分する際に、まず高優先度の接続状態のユーザ装置に発見信号リソースを配分する。
【００２３】
好ましくは、上記方法において、基地局は低優先度の接続状態のユーザ装置が使用するグループAリソースを高優先度の接続状態のユーザ装置に配分する。
【００２４】
好ましくは、上記方法において、基地局はグループAリソースを配分する場合、ユーザ装置のアプリケーションタイプにより、発見信号リソースの使用可能な期限、発見信号の使用方式を配分し、
前記発見信号リソースの使用可能な期限はグループAリソースがユーザ装置に使用されることができる時間長さであり、
前記発見信号の使用された方式は、発見信号を送信する周期、開始の具体的な位置又は開始及び偏移位置と持続的に送信する有効時間を含み、又は
前記発見信号の使用された方式は、発見信号の使用された方式を導出する関連情報を含む。
【００２５】
好ましくは、上記方法において、ユーザ装置は使用するグループAリソースの使用期限が満期した後、基地局は使用するグループAリソースをリリースするようにユーザ装置に指示し、前記グループAリソースを他のユーザ装置に配分し、
又は、ユーザ装置は使用するグループAリソースの使用期限が満期した後、まだ使用する必要がある場合、基地局へ契約延長申請を提出し、基地局は契約延長申請を処理し、
前記基地局が契約延長申請に対して行った処理は、契約延長同意、リソース変換、リソースリリースを含む。
【００２６】
好ましくは、上記方法において、ユーザ装置が使用するグループAリソースをリリースした後、まだ発見信号を使用する必要があると、再び基地局へ申請する必要がある。
【００２７】
好ましくは、上記方法において、前記基地局は、
ユーザ装置の所在する位置領域に変化が発生すること、発見信号リソースが不足であること、発見信号リソースの使用に干渉問題が存在することのいずれかの場合に、使用するグループAリソースをリリースするようにあるユーザ装置に指示する。
【００２８】
好ましくは、上記方法において、ユーザ装置はその配分されたグループAリソースの使用可能な期限が満期する前に、メッセージを送信して事前に該グループAリソースをリリースするように請求し、基地局がメッセージを受信した後前記グループAリソースを他のユーザ装置に配分する。
【００２９】
好ましくは、上記方法において、前記基地局はアイドル状態にあるユーザ装置にグループBリソースプールのリソースセットを配分する。
【００３０】
好ましくは、上記方法において、前記基地局はブロードキャストによりグループBリソースセット情報を属するそのセルのアイドル状態のユーザ装置に送信し、
アイドル状態のユーザ装置はグループBリソースセットを受信し、
アイドル状態のユーザ装置はグループBリソースセットから発見信号リソースを選択して発見情報を送信する。
【００３１】
好ましくは、上記方法において、アイドル状態のユーザ装置はグループBリソースセットに対応する発見信号リソースをモニターし、干渉が小さなリソースを選択する。
【００３２】
好ましくは、上記方法において、アイドル状態のユーザ装置が選択したグループBリソースはセル内で持続的に使用される。
【００３３】
好ましくは、上記方法において、グループBリソースは基地局が発見信号の使用された方式を予め設定し、
前記発見信号の使用された方式は、発見信号を送信する周期、開始の具体的な位置又は開始及び偏移位置と持続的に送信した有効時間を含み、又は
前記発見信号の使用された方式は発見信号の使用された方式を導出する関連情報を含む。
【００３４】
好ましくは、上記方法において、ユーザ装置がグループBリソースを使用する際、他のリソース及び/又は他の信号との干渉が大きいと発見すると、再びグループBリソースプールから適当なグループBリソースを選択し、多回に選択されたグループBリソース干渉がいずれも大きいと、ユーザ装置は無線リソース制御（RRC）接続の確立を開始することができ、接続状態に進入し、グループAリソースを配分してD2D発見操作を行うことを基地局へ申請し、同時にグループBリソース干渉状態の指示を基地局へフィードバックする。
【００３５】
好ましくは、上記方法において、同じグループBリソースセットを、ネットワーク管理システムが統一に設定し及び/又は異なる基地局が調整配分することができる。
【００３６】
本発明の実施例はユーザ装置を更に開示し、
基地局（eNB）がユーザ装置に配分した発見信号リソースを取得し、前記発見信号リソースは発見信号を送信又はモニターするための時間周波数領域リソースを含むように設定される取得モジュールと、
該ユーザ装置がD2D発見操作を行う必要がある際、前記取得モジュールが取得した発見信号リソースにより発見信号を送信又はモニターすることによりD2D発見を行うように設定される処理モジュールと、を含む。
【００３７】
好ましくは、上記ユーザ装置において、前記発見信号リソースは、発見信号を送信又はモニターするためのコードシーケンスリソースを更に含む。
【００３８】
好ましくは、上記ユーザ装置において、前記取得モジュールは、
eNBがブロードキャストした発見信号リソースセットを受信すること、又は
eNBが専有シグナリングにより該ユーザ装置に配分した発見信号リソースを受信すること、又は
eNBがブロードキャストした発見信号リソースセットを受信し、そのうちから発見信号リソースを選択した後、eNBが調整確認を行うこと、又は
eNBが専有シグナリングにより該ユーザ装置に送信した発見信号リソースセットを受信し、そのうちから発見信号リソースを選択した後、eNBが調整確認を行うこと、又は
eNBがブロードキャストした発見信号リソースセットを受信し、発見信号リソースに対して測定するとともにeNBに報告し、eNBが前記取得モジュールの測定結果によりユーザ装置のために適当な発見信号リソースを選択すること、又は
eNBが専有シグナリングにより該ユーザ装置に送信した発見信号リソースセットを受信し、発見信号リソースに対して測定するとともにeNBに報告し、eNBが前記取得モジュールの測定結果によりユーザ装置のために適当な発見信号リソースを選択すること、又は
eNBがブロードキャストと専有シグナリングの組合せ方式により該ユーザ装置に配分した発見信号リソースを受信することにより、基地局がユーザ装置に配分した発見信号リソースを取得する。
【００３９】
好ましくは、上記ユーザ装置において、前記処理モジュールは更に、基地局へリソース請求を送信することにより該ユーザ装置に発見信号リソースを配分するように基地局に請求し、前記リソース請求がユーザ装置の能力、ユーザ装置のタイプを含むように設定される。
【００４０】
本発明の実施例は基地局を更に開示し、
ユーザ装置に発見信号リソースを配分し、前記発見信号リソースが、発見信号を送信するための時間周波数領域リソースを含むように設定される設定モジュールと、
ユーザ装置に配分した発見信号リソースをユーザ装置に通知するように設定される送受信モジュールと、を含む。
【００４１】
好ましくは、上記基地局において、前記発見信号リソースは、発見信号を送信するためのコードシーケンスリソースを更に含む。
【００４２】
好ましくは、上記基地局において、前記設定モジュールがユーザ装置に配分した発見信号リソースは、
ユーザ装置の状態により異なる発見信号リソースを配分すること、
ユーザ装置の位置により異なる発見信号リソースを配分すること、
ユーザ装置のアプリケーションタイプにより、異なる発見信号リソースを配分すること、
ユーザ装置の優先度により異なる発見信号リソースを配分することのうちの1種又は数種を少なくとも含む。
【００４３】
好ましくは、上記基地局において、前記送受信モジュールは、
ブロードキャストにより発見信号リソースセットを送信すること、又は
専有シグナリングによりユーザ装置に発見信号リソースを配分すること、又は
ブロードキャストにより発見信号リソースセットを送信し、且つユーザ装置が選択した後、調整確認を行うこと、又は
専有シグナリングによりユーザ装置に発見信号リソースセットを送信し、ユーザ装置がそのうちから発見信号リソースを選択した後、調整確認を行うこと、又は
ブロードキャストにより発見信号リソースセットを送信し、ユーザ装置が受信した後発見信号リソースに対して測定するとともに報告し、そしてユーザ装置の測定結果によりユーザ装置のために適当な発見信号リソースを選択すること、又は
専有シグナリングによりユーザ装置に発見信号リソースセットを送信し、ユーザ装置が受信した後発見信号リソースに対して測定するとともに報告し、そしてユーザ装置の測定結果によりユーザ装置のために適当な発見信号リソースを選択すること、又は
ブロードキャストと専有シグナリングの組合せ方式によりユーザ装置に発見信号リソースを配分することにより、ユーザ装置に配分した発見信号リソースをユーザ装置に通知する。
【００４４】
好ましくは、上記基地局において、前記送受信モジュールは、
前記送受信モジュールが発見信号リソースセットをブロードキャストし、設定された条件で、専有シグナリングによりユーザ装置に発見信号リソースを配分すること、又は
前記送受信モジュールが発見信号リソースセットをブロードキャストし、専有シグナリングによりユーザ装置に発見信号リソースシリアル番号指示を配分することにより、シリアル番号によって発見信号リソースセットから該ユーザ装置に配分した発見信号リソースを取得するようにユーザ装置に指示することにより、ブロードキャストと専有シグナリングの組合せ方式によりユーザ装置に発見信号リソースを配分する。
【００４５】
好ましくは、上記基地局において、前記送受信モジュールは更に、ユーザ装置及び/又は他のeNBが送信したリソース請求を受信し、前記リソース請求がユーザ装置の能力、ユーザ装置のタイプを含むように設定され、
前記設定モジュールは、前記リソース請求を受信した後、ユーザ装置に発見信号リソースを配分するように設定される。
【００４６】
好ましくは、上記基地局において、前記設定モジュールは、ユーザ装置の状態により発見信号リソースを配分し、前記発見信号リソースがグループAリソース及びグループBリソースを含み、グループAリソースはeNBが接続状態のユーザ装置に配分して使用する発見信号リソースであり、グループBリソースはeNBがアイドル状態のユーザ装置に配分して使用する発見信号リソースであるように設定される。
【００４７】
好ましくは、上記基地局において、前記設定モジュールは更に、グループAリソースプール及びグループBリソースプールにおけるリソースを動的に調整し、グループAリソースプールとグループBリソースプールのそれぞれのリソースプールにおけるリソース数の調整、及びリソースプールにおけるリソースの時間周波数及び/又はコードリソースの相互組合せの調整を含むように設定される。
【００４８】
好ましくは、上記基地局において、前記設定モジュールは、接続状態のユーザ装置のセルでの位置が異なることにより、異なるグループAリソースを配分するように設定され、
eNBはセルエッジ領域にある接続状態のユーザ装置にセルエッジグループAリソースを配分し、
eNBはセル中心領域にある接続状態のユーザ装置にセル中心グループAリソースを配分する。
【００４９】
好ましくは、上記基地局において、前記設定モジュールは、セルエッジ領域にある接続状態のユーザ装置に、前記セルの隣接セルエッジ領域と異なるセルエッジグループAリソースを配分するように設定される。
【００５０】
好ましくは、上記基地局において、前記設定モジュールは、接続状態のユーザ装置がセルの異なる領域に移動する場合、再び前記接続状態のユーザ装置に前記セル領域に属するグループAリソースを配分するように設定される。
【００５１】
好ましくは、上記基地局において、前記設定モジュールは、グループAリソースにおける各セルエッジグループAリソースプールとセル中心グループAリソースプールのリソースを動的に調整し、各セルエッジグループAリソースプールとセル中心グループAリソースプールにおけるリソース数の調整、及びリソースプールにおけるリソースの時間周波数及び/又はコードリソースの相互組合せの調整を含むように設定される。
【００５２】
好ましくは、上記基地局において、前記設定モジュールは、グループAリソースを配分する際、まず高優先度の接続状態のユーザ装置に発見信号リソースを配分するように設定される。
【００５３】
好ましくは、上記基地局において、前記設定モジュールは、低優先度の接続状態のユーザ装置が使用するグループAリソースを、高優先度の接続状態のユーザ装置に配分するように設定される。
【００５４】
好ましくは、上記基地局において、前記設定モジュールは、グループAリソースを配分する際、ユーザ装置のアプリケーションタイプにより、発見信号リソースの使用可能な期限、発見信号の使用方式を配分するように設定され、
前記発見信号リソースの使用可能な期限はグループAリソースがユーザ装置に使用されることができる時間長さであり、
前記発見信号の使用された方式は、発見信号を送信する周期、開始の具体的な位置又は開始及び偏移位置と持続的に送信した有効時間を含み、又は
前記発見信号の使用された方式は、発見信号の使用方式を導出する関連情報を含む。
【００５５】
好ましくは、上記基地局において、前記設定モジュールは、ユーザ装置は使用するグループAリソースの使用期限が満期する指示を送信する場合、使用するグループAリソースをリリースすることをユーザ装置に指示し、前記グループAリソースを他のユーザ装置に配分し、
又は、ユーザ装置が該基地局へ契約延長申請を提出する際、契約延長申請を処理し、
前記設定モジュールが契約延長申請に行った処理は契約延長同意、リソース変換、リソースリリースを含むように設定される。
【００５６】
好ましくは、上記基地局において、前記送受信モジュールは更に、
ユーザ装置の所在する位置領域に変化が発生すること、発見信号リソースが不足であること、発見信号リソースの使用に干渉問題が存在することのいずれかの場合に、使用するグループAリソースをリリースすることをあるユーザ装置に指示するように設定される。
【００５７】
好ましくは、上記基地局において、前記送受信モジュールは更に、ユーザ装置が送信した事前にグループAリソースをリリースするメッセージ請求を受信するように設定され、
設定モジュールは更に、該基地局が前記メッセージ請求を受信した後、前記グループAリソースを他のユーザ装置に配分するように設定される。
【００５８】
好ましくは、上記基地局において、前記設定モジュールは、アイドル状態にあるユーザ装置にグループBリソースプールのリソースセットを配分するように設定される。
【００５９】
好ましくは、上記基地局において、前記送受信モジュールは、ブロードキャストによりグループBリソースセット情報を、属するそのセルのアイドル状態のユーザ装置に送信するように設定される。
【００６０】
好ましくは、上記基地局において、グループBリソースは設定モジュールが発見信号の使用された方式を予め設定し、
前記発見信号の使用された方式は発見信号を送信する周期、開始の具体的な位置又は開始及び偏移位置と持続的に送信した有効時間を含み、又は
前記発見信号の使用された方式は発見信号の使用された方式を導出する関連情報を含む。
【発明の効果】
【００６１】
本実施例の技術的解決手段で提供されたD2D発見過程における発見信号リソースの使用手段は柔軟にD2D発見の各種類のシーンに適用できるだけでなく、リソース使用の衝突を減少することができ、それによりD2D発見の信頼性を向上させる。それだけでなく、本実施例で提供されたD2D発見過程における発見信号リソースの使用方法によりeNBは発見信号リソースを統一に管理しやすい。
【図面の簡単な説明】
【００６２】
ここで説明する図面は本発明の実施例に対する理解を提供し、本願の一部を構成し、本発明の模式的な実施例及びその説明は本発明を解釈するためのものであり、本発明に対する不適当な限定を構成しない。
【図１】図1はD2Dのアプリケーションシーン図である。
【図２】図2はeNBが接続状態のユーザ装置にグループAリソースを配分する過程方法1の模式図である。
【図３】図3はLTE/LTE-Aの時間周波数領域の構造模式図である。
【図４】図4はセルエッジとセル中心との関係模式図である。
【図５】図5はeNBが接続状態のユーザ装置にグループAリソースを配分する過程方法2の模式図である。
【図６】図6はeNBが接続状態のユーザ装置にグループAリソースを配分する過程方法3の模式図である。
【図７】図7はeNBが接続状態のユーザ装置にグループAリソースを配分する過程方法4の模式図である。
【図８】図8は接続状態のユーザ装置がセルの異なる位置に移動することに使用する発見信号リソースの変換過程の模式図である。
【図９】図9は接続状態のユーザ装置が発見信号リソースをリリースするフローチャートである。
【図１０】図10は接続状態のユーザ装置の使用する発見信号リソースが間もなく満期し、eNBへ契約延長を申請するフローチャートである。
【図１１】図11は、eNBは低優先度のユーザ装置が発見信号リソースを高優先度のユーザ装置にリリースして発見信号リソースを配分するように強制するフローチャートである。
【図１２】図12はアイドル状態のユーザ装置がグループBリソースを取得及び使用する過程図である。
【図１３】図13はユーザ装置がアイドル状態から接続状態に入った後、発見信号リソースの変換過程図である。
【図１４】図14は本発明の実施例のユーザ装置の模式図である。
【図１５】図15は本発明の実施例の基地局の模式図である。
【発明を実施するための形態】
【００６３】
以下、図面を合わせて本発明の実施例の技術的解決手段を詳しく説明する。なお、衝突しない場合に、本願の実施例及び実施例における特徴を任意に互いに組み合わせることができる。
【００６４】
実施例1
本実施例はD2D発見方法を提供し、
ユーザ装置は基地局（eNB）がユーザ装置に配分した発見信号リソースを取得し、発見信号リソースは発見信号を送信又はモニターするための時間周波数領域リソースを含むことと、
ユーザ装置はD2D発見操作を行う必要がある場合、取得した発見信号リソースによって発見信号を送信又はモニターすることによりD2D発見を行うステップと、を含む。
【００６５】
なお、幾つかのシーンにおいて、発見信号リソースは更に発見信号を送信又はモニターするためのコードシーケンスリソースを含むことができる。
【００６６】
基地局がユーザ装置に配分した発見信号リソースは、
ユーザ装置の状態により異なる発見信号リソースを配分し、ユーザ状態が接続状態とアイドル状態を含むこと、
ユーザ装置の位置により異なる発見信号リソースを配分し、ユーザ装置の位置がセルエッジ及びセル中心を含むこと、
ユーザ装置のアプリケーションタイプにより、異なる発見信号リソースを配分すること、
ユーザ装置の優先度により異なる発見信号リソースを配分することのうちの1種又は数種を少なくとも含む。
【００６７】
好ましくは、ユーザ装置が、基地局がユーザ装置に配分した発見信号リソースを取得する方式は、
ユーザ装置が、eNBがブロードキャストした発見信号リソースセットを受信すること、
eNBが専有シグナリングにより該ユーザ装置に配分した発見信号リソースを受信すること、
eNBがブロードキャストした発見信号リソースセットを受信し、そのうちから発見信号リソースを選択した後、eNBが調整確認を行うこと、
eNBが専有シグナリングにより該ユーザ装置に送信した発見信号リソースセットを受信し、ユーザ装置がそのうちから発見信号リソースを選択した後、eNBが調整確認を行うこと、との数種がある。
【００６８】
eNBがブロードキャストした発見信号リソースセットを受信し、ユーザ装置が発見信号リソースに対して測定するとともにeNBに報告し、eNBはユーザ装置の測定結果によりユーザ装置のために適当な発見信号リソースを選択し、又は
eNBが専有シグナリングにより該ユーザ装置に送信した発見信号リソースセットを受信し、ユーザ装置が発見信号リソースに対して測定するとともにeNBに報告し、eNBはユーザ装置の測定結果によりユーザ装置のために適当な発見信号リソースを選択し、又は
eNBがブロードキャストと専有シグナリングの組合せ方式により該ユーザ装置に配分した発見信号リソースを受信する。
【００６９】
ユーザ装置が、eNBがブロードキャストと専有シグナリングの組合せ方式により該ユーザ装置に配分した発見信号リソースを受信する過程は、
設定された条件で、ユーザ装置はeNBがブロードキャストした発見信号リソースセットを受信し、及びeNBが専有シグナリングにより該ユーザ装置に配分した発見信号リソースを受信し、又は、ユーザ装置はeNBがブロードキャストした発見信号リソースセットを受信し、及びeNBが専有シグナリングにより該ユーザ装置に配分した発見信号リソースシリアル番号指示を受信し、このように、ユーザ装置は受信したシリアル番号指示により発見信号リソースセットから該ユーザ装置に配分した発見信号リソースを取得することができる、という操作で行うことができる。
【００７０】
また、基地局がユーザ装置の状態により配分した発見信号リソースはグループAリソース及びグループBリソースを含むことができる。グループAリソースはeNBが接続状態のユーザ装置に配分して使用する発見信号リソースであり、グループBリソースはeNBがアイドル状態のユーザ装置に配分して使用する発見信号リソースである。このうえに、基地局は更にグループAリソースプールとグループBリソースプールにおけるリソースを動的に調整することができ、グループAとグループBのそれぞれのリソースプールにおけるリソース数の調整、及びリソースプールにおけるリソースの時間周波数及び/又はコードリソースの相互組合せの調整を含む。
【００７１】
以下、具体的なアプリケーションシーンを合わせて、上記方法の実現過程を詳しく説明する。
【００７２】
例えば、eNBは専有シグナリングの方式により接続状態の第1ユーザ装置にグループAリソースを配分し、この際、D2D発見過程は図2に示すように、以下のステップを含む。
【００７３】
接続状態にある第1ユーザ装置は発見信号リソースを使用する必要がある場合、発見信号リソースを申請する情報をeNBへ送信する。
【００７４】
eNBは第1ユーザ装置の発見信号リソースを申請する情報を受信した後、グループAリソースプールから1つの発見信号リソースを選択して第1ユーザ装置に発見信号リソースを配分し、専有シグナリングにより第1ユーザ装置に送信する。
【００７５】
発見信号リソースは、時間領域、周波数領域、及び/又は発見信号コードシーケンス等の使用情報を含む。LTE/LTE-Aシステムにおいて、無線通信リソースは時間領域-周波数領域のような二次元形式で使用され（図3に示すように）、無線通信リソースで使用された信号はコードシーケンスであってよい。発見信号コードシーケンスは普通に定義が使用要求に符合するシーケンスであり、例えば再利用プリアンブルシーケンス、パイロットシーケンス等の方式のような既知のシーケンスであってもよく、D2Dが自体の使用特徴などの要求により新しく定義されたあるシーケンスであってもよく、又は既知のシーケンスに追加フィールドを増加する等の方式であってもよい。ここで、前記時間領域、周波数領域情報は、D2D発見過程において、第1ユーザ装置が発見信号を送信し、発見信号が対応する時間領域、周波数領域で載せられて伝送する必要があるリソース情報である。採用された時間周波数リソースはセルラー通信における上りリソース又は下りリソースで特定のD2D発見過程に使用する時間周波数リソースを画定して、D2D発見対の間で直交方式を採用してシェアするか、又はセルラー通信における上りリソース又は下りリソースを使用してセルラー通信と直交方式でシェアするか、又はセルラー通信における上りリソース又は下りリソースを使用してセルラー通信と多重方式でシェアする、などのものがある。
【００７６】
第1ユーザ装置はeNBがそれに配分した発見信号リソースを受信した後、対応する時間周波数リソースで発見信号を送信し、発見信号コードシーケンス方式を使用すると、対応する時間周波数リソースで発見信号コードシーケンスを送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成する。
【００７７】
eNBは第1ユーザ装置の発見信号リソースを申請する情報を受信した後、eNBはネットワークの関連ネットワーク構成要素により第1ユーザ装置のタイプ情報を取得することができ、例えばユーザ装置の位置情報、ユーザ装置のアプリケーションタイプ、ユーザ装置の優先度等を取得することができ、それによりeNBはユーザ装置に、より合理的な発見信号リソース及び/又は使用方式を配分することができる。
【００７８】
ユーザ装置の状態により発見信号リソースを配分する以外、基地局は接続状態のユーザ装置のセルでの位置が異なることにより、異なるグループAリソースを配分してもよく、
eNBはセルエッジ領域にある接続状態のユーザ装置にセルエッジグループAリソースを配分し、
eNBはセル中心領域にある接続状態のユーザ装置にセル中心グループAリソースを配分する。
【００７９】
例えば、eNBはネットワークの関連ネットワーク構成要素により取得したユーザ装置の位置情報に基づいて専有シグナリング方式により接続状態の第1ユーザ装置に発見信号リソースを配分し、具体的に以下のステップを含む。
【００８０】
接続状態にある第1ユーザ装置は発見信号リソースを使用する必要がある場合、発見信号リソースを申請する情報をeNBへ送信する。
【００８１】
eNBは第1ユーザ装置の発見信号リソースを申請する情報を受信した後、ネットワークの関連ネットワーク構成要素により第1ユーザ装置のユーザ装置位置情報を取得する。
【００８２】
eNBは取得した第1ユーザ装置の位置情報に基づいて、第1ユーザ装置の位置するセルの異なる領域に対して異なるタイプの発見信号リソースを配分し、第1ユーザ装置がセル中心にある際、eNBはセル中心に属するグループAリソースを配分し、第1ユーザ装置がセルエッジにあると、その位置するセルエッジの具体的な位置を判断し、その位置する位置により異なるセルエッジのグループAリソースを配分し、図4に示すように、セルの異なるエッジにおいて、セルエッジのグループAリソースを隣接領域との関係状況により、セルエッジグループAリソースを更に数種のセルエッジグループAリソースに区分することができる。eNBは専有シグナリングにより第1ユーザ装置に、配分した発見信号リソースを送信する。
【００８３】
第1ユーザ装置はeNBがそれに配分した発見信号リソースを受信した後、対応する時間周波数リソースで発見信号を送信し、発見信号コードシーケンス方式を使用すると、対応する時間周波数リソースで発見信号コードシーケンスを送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成する。
【００８４】
以下、基地局がユーザ装置のアプリケーションタイプにより発見信号リソースを配分する過程を更に説明する。
【００８５】
例えば、eNBはネットワークの関連ネットワーク構成要素により取得したユーザ装置のアプリケーションタイプ情報に基づいて専有シグナリング方式により接続状態の第1ユーザ装置に発見信号リソース及び使用方式を配分する。第2ユーザ装置は発見信号を捜索受信する際、アプリケーションタイプにより搜索したリソース位置/範囲を縮小し、それによりユーザ装置の消費電力を減少する。以下のステップを含む。
【００８６】
接続状態にある第1ユーザ装置は発見信号リソースを使用する必要がある場合、発見信号リソースを申請する情報をeNBへ送信する。
【００８７】
eNBは第1ユーザ装置の発見信号リソースを申請する情報を受信した後、ネットワークの関連ネットワーク構成要素により第1ユーザ装置のアプリケーションタイプ情報を取得する。
【００８８】
eNBはグループAリソースプールから1つの発見信号リソースを選択して第1ユーザ装置に発見信号リソースを配分し、同時に取得した第1ユーザ装置のアプリケーションタイプ情報により発見信号リソースの使用可能な期限、発見信号の使用方式（例えば発見信号を送信する周期、開始の具体的な位置又は開始及び偏移位置と持続的に送信した有効時間、又は発見信号の使用方式を導出する関連情報）等の情報を確定し、発見信号を送信する周期はアプリケーションタイプで周囲の全ての付近ユーザ装置を発見することであり、発見信号リソースの使用可能な期限はある固定時間制限、例えば120s等に設定することができ、又は第1ユーザ装置が停止を提出し、例えばあるユーザ装置に対する発見を完成するまで、発見信号リソースの使用可能な期限を持続的な送信に設定することができる。
【００８９】
eNBはこれらの情報を確定した後、専有シグナリングにより、発見信号リソースを申請する第1ユーザ装置にこれらの情報を送信する。
【００９０】
第1ユーザ装置はeNBがそれに配分した発見信号リソースを受信した後、所定の発見信号リソースの使用方式に従って、定期的に所定の時間周波数リソースで発見信号を送信し、発見信号コードシーケンス方式を使用すると、対応する時間周波数リソースで発見信号コードシーケンスを送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成する。
【００９１】
以下、eNBがブロードキャストにより発見信号リソースセットを送信し、接続状態の第1ユーザ装置がそのうちから選択しようとする発見信号リソースを選択し、eNBが発見信号リソースが使用されることができることを調整確認する過程を更に説明する。
【００９２】
図5に示すのは、eNBがブロードキャストにより発見信号リソースセットを送信する方式であり、接続状態の第1ユーザ装置はそのうちから発見信号リソースを選択し、eNBは選択された発見信号リソースが使用されることができる過程例示であり、ステップは以下の通りである。
【００９３】
eNBはそのセルの接続状態にあるユーザ装置へ使用可能なグループAリソースの発見信号リソースセットをブロードキャストし、セルの異なる位置領域に対して異なるグループAリソースのブロードキャストを行うことができ、例えばセル中心に対して、接続状態のユーザ装置にセル中心のグループAリソースの発見信号リソースセットをブロードキャストし、セルエッジに対して、接続状態のユーザ装置にセルエッジのグループAリソースの発見信号リソースセットをブロードキャストし、図4に示すように、異なるセルエッジは対応するセルエッジのグループAリソースの発見信号リソースセットをブロードキャストする。
【００９４】
接続状態にある第1ユーザ装置は発見信号リソースを使用する必要がある場合、受信したブロードキャストした使用可能なグループAリソースの発見信号リソースセットから選択しようとする発見信号リソースを選択し、例えば発見信号リソースに対する干渉測定状況に基づいて干渉が小さい発見信号リソースを選択することができ、eNBへ選択された選択しようとする発見信号リソースをフィードバックし、関連測定結果を含めてeNBにフィードバックして送信する。
【００９５】
eNBは第1ユーザ装置がフィードバックした測定結果及び選択しようとする発見信号リソースを受信した後、eNBは第1ユーザ装置が選択した選択しようとする発見信号リソースの使用可能な状況を調整してそれが使用されることができることを確認する。
【００９６】
第1ユーザ装置はeNBが確認した後使用することができる発見信号リソース指示を受信した後、対応する時間周波数リソースで発見信号を送信し、発見信号コードシーケンス方式を使用すると、対応する時間周波数リソースで発見信号コードシーケンスを送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成する。
【００９７】
eNBは、第1ユーザ装置が選択した選択しようとする発見信号リソースの情報を受信した後、eNBはネットワークの関連ネットワーク構成要素により第1ユーザ装置のタイプ情報を取得することができ、例えば、ユーザ装置の位置情報、ユーザ装置のアプリケーションタイプ、ユーザ装置の優先度等を取得することができ、それによりeNBはユーザ装置に合理的な発見信号リソース及び/又は使用方式を調整する。
【００９８】
以下、eNBが第1ユーザ装置が選択した発見信号リソースを受信した後、ネットワークの関連ネットワーク構成要素により取得したユーザ装置のアプリケーションタイプ情報により調整して発見信号リソースの使用方式を配分することを説明し、含まれるステップは、
eNBはそのセルの接続状態にあるユーザ装置へ使用可能なグループAリソースの発見信号リソースセットをブロードキャストすることと、
接続状態にある第1ユーザ装置は発見信号リソースを使用する必要がある場合、受信したブロードキャストした使用可能なグループAリソースの発見信号リソースセットから選択しようとする発見信号リソースを選択し、例えば発見信号リソースに対する干渉測定状況により干渉が小さい発見信号リソースを選択することができ、eNBへ選択された選択しようとする発見信号リソースをフィードバックし、関連測定結果を含めてeNBにフィードバックして送信することと、
eNBは第1ユーザ装置がフィードバックした測定結果と選択しようとする発見信号リソースを受信した後、使用可能な選択しようとする発見信号リソースを調整確認し、同時にネットワークの関連ネットワーク構成要素により第1ユーザ装置のアプリケーションタイプ情報を取得し、eNBは第1ユーザ装置のアプリケーションタイプ情報に基づいて発見信号リソースの使用可能な期限、発見信号の使用方式（例えば、発見信号を送信する周期、開始の具体的な位置又は開始及び偏移位置と持続的に送信した有効時間、又は発見信号の使用方式を導出する関連情報）等の情報を確認し、例えば、発見信号を送信する周期はアプリケーションタイプで周囲の全ての付近ユーザ装置を発見することであり、発見信号リソースの使用可能な期限はある固定時間制限、例えば、120s等に設定することができ、又は第1ユーザ装置が停止を提出し、例えば、あるユーザ装置に対する発見を完成するまで、発見信号リソースの使用可能な期限を持続的な送信に設定することと、
第1ユーザ装置はeNBがフィードバックした使用可能な発見信号リソース指示及び使用方式を受信した後、対応する時間周波数リソースで発見信号を送信し、発見信号コードシーケンス方式を使用すると、対応する時間周波数リソースで発見信号コードシーケンスを送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成することと、である。
【００９９】
以下、eNBがブロードキャストにより発見信号リソースセットを送信し、接続状態の第1ユーザ装置の発見信号リソース使用の申請を受信した後、eNBはそれに発見信号リソースシリアル番号を配分し、第1ユーザ装置は受信したブロードキャストした発見信号リソースセット及び配分した発見信号リソースシリアル番号に基づいて自分が使用する発見信号リソースを取得する過程を説明する。
【０１００】
図6に示すのは、eNBがブロードキャストにより発見信号リソースセットを送信し、接続状態の第1ユーザ装置の発見信号リソース使用の申請を受信した後、eNBがそれに発見信号リソースを配分する過程例示であり、ステップは以下の通りである。
【０１０１】
eNBはそのセルの接続状態にあるユーザ装置へ使用可能なグループAリソースの発見信号リソースセットをブロードキャストする。
【０１０２】
接続状態にある第1ユーザ装置は発見信号リソースを使用する必要がある場合、eNBへ発見信号リソースを使用する申請を送信する。
【０１０３】
eNBは第1ユーザ装置の発見信号リソースを申請する情報を受信した後、グループAリソースプールから1つの発見信号リソースを選択して第1ユーザ装置に発見信号リソースを配分し、シグナリングにより対応する発見信号リソースシリアル番号を第1ユーザ装置に通知する。
【０１０４】
第1ユーザ装置はeNBがそれに配分した発見信号リソースシリアル番号を受信した後、その前に受信したeNBがブロードキャストした発見信号リソースセットに基づいて、eNBが配分した発見信号リソースを取得し、それにより対応する時間周波数リソースで発見信号を送信し、発見信号コードシーケンス方式を使用すると、対応する時間周波数リソースで発見信号コードシーケンスを送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成する。
【０１０５】
eNBは第1ユーザ装置の発見信号リソースを申請する情報を受信した後、eNBはネットワークの関連ネットワーク構成要素により第1ユーザ装置のタイプ情報を取得することができ、例えばユーザ装置の位置情報、ユーザ装置のアプリケーションタイプ、ユーザ装置の優先度等を取得することができ、それによりeNBはユーザ装置に、より合理的な発見信号リソース及び/又は使用方式を配分することができ、対応する操作については上記各アプリケーションシーンを参照することができる。
【０１０６】
以下、eNBが、専有シグナリングにより発見信号リソースを申請する接続状態の第1ユーザ装置に発見信号リソースセットを送信し、該接続状態の第1ユーザ装置がそのうちから選択しようとする発見信号リソースを選択し、eNBが、選択された発見信号リソースが使用されることができることを確認する過程を更に説明する。
【０１０７】
図7に示すのは、eNBが専有シグナリングにより発見信号リソースセットを送信する方式であり、接続状態の第1ユーザ装置がそのうちから選択しようとする発見信号リソースを選択し、eNBが、選択された発見信号リソースが使用されることができることを確認する過程例示であり、ステップは以下の通りである。
【０１０８】
接続状態の第1ユーザ装置は発見信号リソースを使用する必要がある場合、発見信号リソースを申請する情報をeNBへ送信する。
【０１０９】
eNBは第1ユーザ装置の発見信号リソースを申請する情報を受信した後、ネットワークの関連ネットワーク構成要素により第1ユーザ装置のタイプ情報を取得し、第1ユーザ装置の位置情報、第1ユーザ装置のアプリケーションタイプ、第1ユーザ装置の優先度等を含む。
【０１１０】
eNBは取得した第1ユーザ装置の位置情報に基づいて、専有シグナリング方式により該第1ユーザ装置に第1ユーザ装置の所在する領域に使用可能なグループAリソースに属する発見信号リソースセットを送信し、第1ユーザ装置は発見信号リソースセットを受信した後、干渉に対する測定状況に基づいて、そのうちから選択しようとする発見信号リソースを選択し、同時にシグナリングにより、行った干渉測定結果と選択しようとする発見信号リソースをeNBへフィードバックする。
【０１１１】
eNBは、同時に取得した第1ユーザ装置のアプリケーションタイプ等の情報に基づいて、発見信号リソースの使用可能な期限、発見信号の使用方式（例えば、発見信号を送信する周期、開始の具体的な位置又は開始及び偏移位置と持続的に送信した有効時間、又は発見信号の使用方式を導出する関連情報）等の情報を確定し、例えば、発見信号を送信する周期はアプリケーションタイプで周囲の全ての付近ユーザ装置を発見することであり、発見信号リソースの使用可能な期限はある固定時間制限、例えば120s等に設定することができ、又は第1ユーザ装置が停止を提出し、例えば、あるユーザ装置に対する発見を完成するまで、発見信号リソースの使用可能な期限を持続的な送信に設定する。
【０１１２】
eNBは第1ユーザ装置がフィードバックした干渉測定結果と選択しようとする発見信号リソースを受信した後、eNBは第1ユーザ装置が選択した選択しようとする発見信号リソースの使用可能な状況に対して調整してそれが使用されることができることを確認し、同時に第1ユーザ装置へ発見信号リソースの使用方式を送信する。
【０１１３】
第1ユーザ装置はeNBがフィードバックした使用可能な発見信号リソース指示及び使用方式を受信した後、対応する時間周波数リソースで発見信号を送信し、発見信号コードシーケンス方式を使用すると、対応する時間周波数リソースで発見信号コードシーケンスを送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成する。
【０１１４】
以下、eNBがブロードキャストにより発見信号リソースセットを送信し、発見信号リソースを申請する接続状態の第1ユーザ装置は発見信号リソースの関連測定を行うとともにeNBへ報告し、eNBはその測定結果に基づいてそれに発見信号リソースを配分する過程を更に説明する。
【０１１５】
図5に示すのは、eNBがブロードキャストにより発見信号リソースセットを送信し、発見信号リソースを申請する接続状態の第1ユーザ装置が発見信号リソースの関連測定を行うとともにeNBへ報告し、eNBがその測定結果に基づいてそれに発見信号リソースを配分する過程例示であり、ステップは以下の通りである。
【０１１６】
eNBはそのセルの接続状態にあるユーザ装置へ使用可能なグループAリソースの発見信号リソースセットをブロードキャストする。
【０１１７】
接続状態にある第1ユーザ装置は発見信号リソースを使用する必要がある場合、受信したブロードキャストした使用可能なグループAリソースからの発見信号リソースに関連測定、例えば干渉測定等を行い、測定が完成した後、eNBへ発見信号リソース申請を提出し、測定結果を報告する。
【０１１８】
eNBは第1ユーザ装置の発見信号リソースを申請する情報を受信した後、ネットワークの関連ネットワーク構成要素により第1ユーザ装置のタイプ情報を取得し、第1ユーザ装置の位置情報、第1ユーザ装置のアプリケーションタイプ、第1ユーザ装置の優先度等を含む。
【０１１９】
eNBは測定結果及び現在の発見信号リソースの使用状况等に基づいてそれに発見信号リソースを配分し、同時に取得した第1ユーザ装置のアプリケーションタイプ等の情報に基づいて、発見信号リソースの使用可能な期限、発見信号の使用方式（例えば発見信号を送信する周期、開始の具体的な位置又は開始及び偏移位置と持続的に送信した有効時間、又は発見信号の使用方式を導出する関連情報）等の情報を確定し、例えば発見信号を送信する周期はアプリケーションタイプで周囲の全ての付近ユーザ装置を発見することであり、発見信号リソースの使用可能な期限はある固定時間制限、例えば120s等に設定することができ、又は第1ユーザ装置が停止を提出し、例えばあるユーザ装置に対する発見を完成するまで、発見信号リソースの使用可能な期限を持続的な送信に設定する。
【０１２０】
第1ユーザ装置はeNBが配分した発見信号リソース及び使用方式を受信した後、対応する時間周波数リソースで発見信号を送信し、発見信号コードシーケンス方式を使用すると、対応する時間周波数リソースで発見信号コードシーケンスを送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成する。
【０１２１】
以下、eNBが専有シグナリングにより発見信号リソースを申請する接続状態の第1ユーザ装置に発見信号リソースセットを送信し、該接続状態の第1ユーザ装置が発見信号リソースの測定を行うとともにeNBに報告し、eNBがその測定結果に基づいてそれに発見信号リソースを配分する過程を更に説明する。
【０１２２】
図7に示すのは、eNBが専有シグナリングにより発見信号リソースセットを送信する方式であり、接続状態の第1ユーザ装置が発見信号リソースの測定を行うとともにeNBに報告し、eNBがその測定結果に基づいてそれに発見信号リソースを配分する過程例示であり、ステップは以下の通りである。
【０１２３】
接続状態の第1ユーザ装置は発見信号リソースを使用する必要がある場合、発見信号リソースを申請する情報をeNBへ送信する。
【０１２４】
eNBは第1ユーザ装置の発見信号リソースを申請する情報を受信した後、ネットワークの関連ネットワーク構成要素により第1ユーザ装置のタイプ情報を取得し、第1ユーザ装置の位置情報、第1ユーザ装置のアプリケーションタイプ、第1ユーザ装置の優先度等を含む。
【０１２５】
eNBは取得した第1ユーザ装置の位置情報に基づいて、専有シグナリング方式により該第1ユーザ装置に第1ユーザ装置の所在する領域に使用可能なグループAリソースに属する発見信号リソースセットを送信し、第1ユーザ装置は発見信号リソースセットを受信した後、発見信号リソースと関連する測定、例えば干渉の測定等を行い、シグナリングにより、行った干渉測定結果をeNBへフィードバックする。
【０１２６】
eNBは同時に取得した第1ユーザ装置のアプリケーションタイプ等の情報に基づいて、発見信号リソースの使用可能な期限、発見信号の使用方式（例えば発見信号を送信する周期、開始の具体的な位置又は開始及び偏移位置と持続的に送信した有効時間、又は発見信号の使用方式を導出する関連情報）等の情報を確定し、例えば発見信号を送信する周期はアプリケーションタイプで周囲の全ての付近ユーザ装置を発見することであり、発見信号リソースの使用可能な期限はある固定時間制限、例えば120s等に設定することができ、又は第1ユーザ装置が停止を提出し、例えばあるユーザ装置に対する発見を完成するまで、発見信号リソースの使用可能な期限を持続的な送信に設定する。
【０１２７】
eNBは第1ユーザ装置がフィードバックした測定結果を受信した後、測定結果及び現在の発見信号リソースの使用状况等に基づいてそれに発見信号リソースを配分し、同時に第1ユーザ装置へ発見信号リソースの使用方式を送信する。
【０１２８】
第1ユーザ装置はeNBが配分した発見信号リソース及び使用方式を受信した後、対応する時間周波数リソースで発見信号を送信し、発見信号コードシーケンス方式を使用すると、対応する時間周波数リソースで発見信号コードシーケンスを送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成する。
【０１２９】
以下、接続状態の第1ユーザ装置が発見信号を送信する過程においてセルの異なる領域に移動する処理過程を説明する。
【０１３０】
図8に示すのは、接続状態の第1ユーザ装置が発見信号を送信する過程においてセルエッジ1の位置からセル中心に移動する処理過程例示であり、ステップは以下の通りである。
【０１３１】
eNBは、位置決め等の技術により接続状態の発見信号を送信している第1ユーザ装置がセルエッジ1の位置からセル中心位置に移動することを検出し、eNBはシグナリングにより発見信号を送信することを停止することを第1ユーザ装置に通知し、使用する発見信号リソースをリリースし、該新たな領域位置に属する発見信号リソースに変換する。
【０１３２】
次に、第1ユーザ装置とeNBは上記各実現方法を参照して、eNBは再び第1ユーザ装置に新たな発見信号リソースを配分することを完成し、第1ユーザ装置はeNBへ発見信号リソースの変換が完成することをフィードバックし、新たな送信信号リソースを使用する。以下、eNBが専有シグナリング方式により第1ユーザ装置にグループAリソースを配分して変換することを例として説明する。
【０１３３】
第1ユーザ装置は発見信号リソース変換のメッセージを受信した後、発見信号の送信を停止し、使用する発見信号リソースをリリースし、eNBは必要する際この発見信号リソースを他のユーザ装置に配分して使用することができ、対応する過程については実施例六を参照することができ、
eNBは該セル中心に属するグループAリソースを選択して第1ユーザ装置に発見信号リソースを配分し、及び第1ユーザ装置のアプリケーションタイプにより、同時に発見信号リソースの使用可能な期限、発見信号の使用方式（例えば、発見信号を送信する周期、開始の具体的な位置又は開始及び偏移位置と持続的に送信した有効時間、又は発見信号の使用方式を導出する関連情報）等の情報を配分し、専有シグナリングにより第1ユーザ装置に送信し、
第1ユーザ装置はこれらの新たな発見信号リソース指示情報及び使用方式を受信した後、対応する時間周波数リソースで発見信号を送信し、発見信号コードシーケンス方式を使用すると、対応する時間周波数リソースで発見信号コードシーケンスを送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成する。
【０１３４】
また、接続状態にある、発見信号を送信している第1ユーザ装置がセルの他のエッジ領域位置からセル中心位置に移動するか、又はセル中心位置からセルエッジ領域位置に移動するか、又は1つのセルエッジの領域位置から他の1つのセルエッジの領域位置に移動することは、いずれも本実施例の上記記述過程を参照して発見信号リソースの変換を行うべきである。
【０１３５】
以下、接続状態の第1ユーザ装置が発見信号リソースをリリースする過程を説明する。
【０１３６】
接続状態の第1ユーザ装置が使用する、eNBが配分した発見信号リソースに使用可能な期限が存在し、使用可能な期限が満期した後、第1ユーザ装置は使用する発見信号リソースをタイムリーにリリースし、eNBはこの発見信号リソースを再配分してユーザ装置に使用し、又はeNBは、第1ユーザ装置が使用する発見信号リソースを変換し、又は発見信号リソースが不足であり、又は発見信号リソースの使用に干渉問題が存在する等により、使用する発見信号リソースをリリースすることを第1ユーザ装置に要求し、又は接続状態の第1ユーザ装置が既に発見過程を完成するので、又は発見信号リソースの使用が満期する前に、発見操作等を行わなくて、第1ユーザ装置はいずれも使用する発見信号リソースをリリースする必要があり、eNBはこの第1ユーザ装置がリリースした発見信号リソースを他のユーザ装置に配分して使用することができる。
【０１３７】
図9に示すのは、接続状態の第1ユーザ装置が発見信号リソースをリリースする過程例示であり、ステップは以下の通りである。
【０１３８】
第1ユーザ装置は対応するシグナリングにより発見信号リソースをリリースすることをeNBへ請求し、
eNBは発見信号リソースリリースの請求確認を第1ユーザ装置へ送信し、同時に発見信号を送信することを停止し、発見信号リソースをリリースすることを第1ユーザ装置に要求し、
第1ユーザ装置はeNBが送信した発見信号送信停止、発見信号リソースリリースのシグナリングを受信した後、発見信号を送信することを停止し、使用する発見信号リソースをリリースし、且つ発見信号リソースのリリースを既に完成するシグナリングフィードバックをeNBへ送信し、
eNBは、第1ユーザ装置が発見信号リソースのリリースを既に完成するシグナリングを受信した後、発見信号リソースを対応する発見信号リソースプールに収納し、発見信号リソースを申請するユーザ装置に配分して使用する。
【０１３９】
なお、他の状況の第1ユーザ装置が発見信号リソースをリリースする過程は類似し、一部は第1ユーザ装置が発見信号リソースをリリースする申請を提出する必要がなくて、直接にeNBが第1ユーザ装置へ発見信号リソースリリースの要求を提出する。
【０１４０】
また、第1ユーザ装置は使用する発見信号リソースがリリースされた後、第1ユーザ装置はまだ発見信号リソースを使用する必要があると、第1ユーザ装置は再びeNBへ申請する必要があり、eNBは再びそれに発見信号リソースを配分する。
【０１４１】
以下、接続状態の第1ユーザ装置が使用する発見信号リソースが間もなく満期し、eNBへ契約延長を申請する過程を説明する。
【０１４２】
図10に示すのは、接続状態の第1ユーザ装置が使用する発見信号リソースが間もなく満期し、eNBへ契約延長を申請する過程例示であり、ステップは以下の通りである。
【０１４３】
接続状態の第1ユーザ装置は設定された発見信号リソースの使用可能な期限タイマーが満期する際、まだ発見信号リソースを使用する必要があり、eNBへ発見信号リソース使用の契約延長申請を提出し、
eNBは第1ユーザ装置の契約延長申請を受信した後、現在のその属する領域の発見信号リソースの使用された状况、第1ユーザ装置のタイプ等の情報に基づいて総合評価を行い、契約延長要求に符合すると、契約延長を申請する第1ユーザ装置へ契約延長申請を同意するシグナリングフィードバックを送信し、発見信号リソースの使用可能な期限、発見信号の使用方式等の情報を含み、
第1ユーザ装置は契約延長同意のシグナリングフィードバックを受信した後、契約延長同意の情報に基づいて発見信号リソースの使用可能な期限タイマーをリセットし、eNBが配分した発見信号リソースの使用方式に従って使用する。
【０１４４】
eNBは契約延長を評価する過程において、契約延長要求に符合しないと認めると、第1ユーザ装置へそれが発見信号リソースをリリースすることを要求するシグナリングを送信し、対応するプロセスについては実施例六を参照し、
eNBは契約延長を評価する過程において、使用する発見信号リソースを変換する必要があると認めると、実施例五を参照して発見信号リソースの変換を完成する。
【０１４５】
以下、高優先度のユーザ装置が発見信号リソースを申請し、eNBが配分できる発見信号リソースがないことを発見し、eNBが、低優先度のユーザ装置が発見信号リソースをリリースすることを強制的に要求し、高優先度のユーザ装置に発見信号リソースを配分する過程を説明する。
【０１４６】
図11に示すのは、eNBが、低優先度のユーザ装置が発見信号リソースをリリースすることを強制的に要求し、高優先度のユーザ装置に発見信号リソースを配分する過程例示であり、ステップは以下の通りである。
【０１４７】
高優先度のユーザ装置は所在するeNBへ発見信号リソース申請を提出し、
eNBは高優先度のユーザ装置の申請を受信した後、この高優先度のユーザ装置に配分できる発見信号リソースがないことを発見し、そしてeNBは該高優先度のユーザ装置と同じセル領域に位置する、発見信号リソースを使用している低優先度のユーザ装置を検査し、
eNBはそのうちから1つの低優先度のユーザ装置の発見信号リソースを選択し、発見信号リソースをリリースするシグナリングをそれに送信し、
該低優先度のユーザ装置は発見信号リソースをリリースするシグナリングを受信した後、実施例六の対応するプロセスを参照して、発見信号を送信することを停止し、発見信号リソースをリリースし、発見信号リソースのリリースを完成することをeNBに通知し、
eNBは低優先度のユーザ装置が発見信号リソースをリリースすることを完成するシグナリングを受信した後、高優先度のユーザ装置に発見信号リソースを配分する。eNBが高優先度のユーザ装置に発見信号リソースを配分する過程については上記対応する方式を参照して行うことができる。
【０１４８】
以下、アイドル状態の第1ユーザ装置がグループBリソースを取得して使用する過程を説明し、該過程は図12に示すように、以下のステップを含む。
【０１４９】
eNBはそのセルでのアイドル状態にあるユーザ装置へ使用可能なグループBリソースセットをブロードキャストし、リソースセットは発見信号リソースが使用する時間周波数リソース、及び/又は発見信号コードシーケンス、及びeNBが各発見信号リソースに対して設定した発見信号の使用方式（例えば発見信号を送信する周期、開始の具体的な位置又は開始及び偏移位置と持続的に送信した有効時間、又は発見信号の使用方式を導出する関連情報）を含む。
【０１５０】
発見信号リソースを使用する必要がある、アイドル状態にある第1ユーザ装置は、受信したブロードキャストした使用可能なグループBリソースセットから1つのグループBリソースを選択し、
第1ユーザ装置は、選択された発見信号リソースの所定の時間周波数領域リソースで受信信号を傍受することにより、このリソースの使用に干渉が存在するかどうかを確定し、それにより干渉が小さいリソースを選択して使用し、
このリソースに信号干渉がないか又は干渉が小さいと、このリソースを使用することができると表明し、第1ユーザ装置は選択された発見信号リソースに従って所定の発見信号の使用方式に従って、所定の時間周波数リソースで発見信号を定期的に送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成する。
【０１５１】
このリソースで信号を受信するか又は干渉が大きいと、選択されたリソースが使用することができないと表明し、第1ユーザ装置は再び受信したブロードキャストした使用可能なグループBリソースセットから他のグループBリソースを選択し、そして、更に上記ステップを繰り返してリソースの可用性検出を行い、それにより選択されたグループBリソースが使用することができることを保証し、
多回に選択されたグループBリソースは検出によりいずれも大きい干渉が存在して使用することができないと、第1ユーザ装置はRRC接続確立を開始すべき、接続状態に進入し、eNBが発見信号リソースを配分し、それによりユーザ装置の間の発見過程を行い、同時にeNBへグループBリソース干渉状態の指示をフィードバックする。
【０１５２】
アイドル状態の第1ユーザ装置が取得したグループBリソースは、セル内に持続的に使用されることができ、第1ユーザ装置がセルの異なる位置に移動することにより変換しない。
【０１５３】
以下、グループBリソースがユーザ装置対のパスロステスト状況により若干グループに分けて使用することができ、アイドル状態のユーザ装置がパスロステストにより選択されることを説明し、以下のステップを含む。
【０１５４】
eNBはそのセルでのアイドル状態にあるユーザ装置に使用可能なグループBリソースセットをブロードキャストし、リソースセットは発見信号リソースが使用する時間周波数リソース、及び/又は発見信号コードシーケンス、及びeNBが各発見信号リソースに対して設定した発見信号の使用方式（例えば、発見信号を送信する周期、開始の具体的な位置又は開始及び偏移位置と持続的に送信した有効時間、又は発見信号の使用方式を導出する関連情報）を含む。
【０１５５】
発見信号リソースを使用する必要がある、アイドル状態にある第1ユーザ装置は現在のパスロス状況をテストし、現在のパスロス状況により、グループBリソースの対応するグループから発見信号リソースを選択し、
第1ユーザ装置は選択された発見信号リソースの所定の時間周波数領域リソースで受信信号を傍受することにより、このリソースの使用に干渉が存在するかどうかを確定し、それにより干渉が小さいリソースを選択して使用し、
第1ユーザ装置は選択された発見信号リソースに従って、所定の発見信号の使用方式により、定期的に所定の時間周波数リソースで発見信号を送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成する。
【０１５６】
多回に選択されたグループBリソースは検出によりいずれも大きい干渉が存在して使用することができないと、第1ユーザ装置はRRC接続確立を開始すべき、接続状態に進入し、eNBが発見信号リソースを配分し、それによりユーザ装置の間の発見過程を行い、同時にeNBへグループBリソース干渉状態の指示をフィードバックする。
【０１５７】
アイドル状態の第1ユーザ装置が取得したグループBリソースは、セル内に持続的に使用されることができ、第1ユーザ装置がセルの異なる位置に移動することにより変換しない。
【０１５８】
以下、第1ユーザ装置がアイドル状態から接続状態に進入した後、発見信号リソースを変換する過程を説明する。
【０１５９】
図13に示すのは、第1ユーザ装置がアイドル状態から接続状態に進入した後、発見信号リソースを変換する過程例示であり、ステップは以下の通りである。
【０１６０】
第1ユーザ装置はアイドル状態から接続状態に進入し、発見信号の送信を停止し、使用しているグループBリソースを廃棄し、発見信号リソースを申請する情報をeNBへ送信する。
【０１６１】
eNBは第1ユーザ装置が発見信号リソースを申請する情報を受信した後、ネットワークの関連ネットワーク構成要素により第1ユーザ装置のタイプ情報を取得し、第1ユーザ装置の位置情報、第1ユーザ装置のアプリケーションタイプ、第1ユーザ装置の優先度等を含む。
【０１６２】
eNBは取得した第1ユーザ装置の位置情報に基づいて、第1ユーザ装置の所在する位置領域の発見信号リソースを配分し、及び第1ユーザ装置のアプリケーションタイプにより、同時に信号リソースの使用可能な期限、発見信号の使用方式（例えば、発見信号を送信する周期、開始の具体的な位置又は開始及び偏移位置と持続的に送信した有効時間）等の情報を配分し、eNBの配分方法及び第1ユーザ装置の取得方式については上記の各種の過程方法を参照することができる。
【０１６３】
第1ユーザ装置はeNBがフィードバックした使用可能な発見信号リソース指示及び使用方式を受信した後、対応する時間周波数リソースで発見信号を送信し、発見信号コードシーケンス方式を使用すると、対応する時間周波数リソースで発見信号コードシーケンスを送信し、第2ユーザ装置は発見信号を受信した後、発見過程の実現手段により、eNB又は第1ユーザ装置へ受信した発見信号情報をフィードバックする必要があると、この過程を実行し、それによりユーザ装置の間の発見過程を完成する。
【０１６４】
以下、eNBがグループAとグループBリソースを動的に調整する過程を説明する。以下、eNBがグループAリソース数を調整して減少することによりグループBリソースを満たすことを例として記述し、ステップは以下の通りである。
【０１６５】
eNBは発見信号リソースが使用された後、ある種のリソースが少なくなることを発見し、リソース構造を調整すると希望し、例えばグループAリソースの使用が少なく、大量のアイドル状態のユーザ装置が発見信号リソースを使用する必要があり（例えば多くのアイドル状態のユーザ装置がeNBへ発見信号リソースを取得する際衝突が発生することをフィードバックし、接続状態へ変換して発見信号リソースを取得する必要がある）、eNBは一部のグループAリソースをグループBリソースに調整すると希望し、
eNBはグループAリソースの使用状况を分析し、セル中心グループAリソース及び各セルエッジグループAリソースを含み、調整可能なリソースを整理し、各種のグループAリソースプールにおけるリソースの調整可能な数、及び時間周波数及び/又はコードリソースの相互組合せの調整可能な状況等を含み、
eNBは整理した適当なグループAリソースをグループBリソースに調整し、グループBリソースプールに収納し、調整過程において、以下の情報は再編集する必要があるが、それに限定されない。即ち、発見信号リソースの識別子（グループA又はグループBの識別子）、発見信号のデフォルト使用方式等。
【０１６６】
eNBはグループBリソースプールのリソースセットをブロードキャストによりアイドル状態のユーザ装置に通知し、
アイドル状態のユーザ装置は競争方式によりグループBリソースプールのリソースを使用し、対応する過程については実施例八及び九を参照して操作する。
【０１６７】
使用過程において、グループBリソースをグループAリソースに調整し、又はグループAリソースの各種の内部の調整、及び発見信号リソースの内部時間周波数及び/又はコードリソースの間の組合調整については、上記過程を参照して行うことができ、ここで繰り返して説明しない。
【０１６８】
以下、隣接eNBの間のグループBリソースセットに関する協議を説明する。隣接eNBの間の協議により同じグループBリソースセットを配分し、アイドル状態のユーザ装置が異なるeNBで移動する場合、受信したブロードキャストしたグループBリソースセットは同じものであり、発見信号リソースを選択する過程において一致と保持し、異なるeNBの間でのD2D発見過程の持続的な展開に有利である。
【０１６９】
eNBの間のグループBリソースセットに関する協議は、ステップが以下の通りである。
【０１７０】
第1eNBはその隣接する第2eNBへeNB間グループBリソースセットの協議の請求を送信し、
第2eNBは第1eNBへeNB間グループBリソースセットの協議を行うことを同意することをフィードバックし、
第1eNBはその隣接する第2eNBへグループBリソースセットの情報を送信し、グループBリソースの数、グループBリソースの時間周波数リソース、及び/又は発見信号コードシーケンス、及びeNBが各発見信号リソースに対して設定した発見信号の使用方式（例えば、発見信号を送信する周期、開始の具体的な位置又は開始及び偏移位置と持続的に送信した有効時間等）等の情報を含み、
第2eNBは第1eNBが送信したグループBリソースセットの情報を受信した後、自分のグループBリソースセット状況を合わせて、自分のグループBリソースセットを調整することを確定するか、又はグループBリソースセットの調整を行うことを第1eNBに要求し、
第2eNBは自分のグループBリソースセットを調整することを確定すると、実施例十一を参照してグループBリソースセットの調整を行い、調整を完成した後、グループBリソースセットを既に一致を保持したことを第1eNBへフィードバックし、
グループBリソースセットの調整を行うことを第1eNBに要求すると、第2eNBは自分のグループBリソースセット情報を第1eNBに送信し、グループBリソースセットの調整を行うことを第1eNBに要求し、第1eNBは第2eNBのフィードバック情報によりグループBリソースセットの調整を行い、又は続いて第2eNBと協議してグループBリソースセットの調整を行い、それによりグループBリソースセットがeNBの間で同じものであることを保証する。
【０１７１】
隣接eNBの間で同じグループBリソースを配分し、ネットワーク管理システムがeNBのグループAリソースプールとグループBリソースプールのリソースを設定する際、統一の方式を採用して隣接eNBのグループBリソースプールに対して同じグループBリソースがあることを保証することができる。ネットワーク管理システム及びeNB間協議のような2つのものを組み合わせる方式で、隣接eNBのグループBリソースプールに同じグループBリソースがあることを保証することもできる。
【０１７２】
実施例2
本実施例はユーザ装置を説明し、取得モジュール1401と処理モジュール1402を少なくとも含む。 
【０１７３】
取得モジュール1401は、基地局（eNB）がユーザ装置に配分した発見信号リソースを取得し、前記発見信号リソースが発見信号を送信又はモニターするための時間周波数領域リソースを含むように設定され、
幾つかのシーンにおいて、上記発見信号リソースは、発見信号を送信又はモニターするためのコードシーケンスリソースを更に含む。
【０１７４】
好ましくは、取得モジュール1401は、基地局がユーザ装置に配分した発見信号リソースを取得する方式は、
eNBがブロードキャストした発見信号リソースセットを受信すること、 
eNBが専有シグナリングにより該ユーザ装置に配分した発見信号リソースを受信すること、 
eNBがブロードキャストした発見信号リソースセットを受信し、そのうちから発見信号リソースを選択した後、eNBが調整確認を行うこと、 
eNBが専有シグナリングにより該ユーザ装置に送信した発見信号リソースセットを受信し、そのうちから発見信号リソースを選択した後、eNBが調整確認を行うこと、
eNBがブロードキャストした発見信号リソースセットを受信し、ユーザ装置が発見信号リソースに対して測定するとともにeNBに報告し、eNBがユーザ装置の測定結果によりユーザ装置のために適当な発見信号リソースを選択すること、
eNBが専有シグナリングにより該ユーザ装置に送信した発見信号リソースセットを受信し、ユーザ装置が発見信号リソースに対して測定するとともにeNBに報告し、eNBがユーザ装置の測定結果によりユーザ装置のために適当な発見信号リソースを選択すること、
eNBがブロードキャストと専有シグナリングの組合せ方式により該ユーザ装置に配分した発見信号リソースを受信すること、との数種を含むように設定される。
【０１７５】
処理モジュール1402は、該ユーザ装置がD2D発見操作を行う必要がある際、前記取得モジュールが取得した発見信号リソースによって、発見信号を送信又はモニターすることによりD2D発見を行うように設定される。
【０１７６】
また、処理モジュールは更に、基地局へリソース請求を送信することにより、該ユーザ装置に発見信号リソースを配分することを基地局に請求し、前記リソース請求がユーザ装置の能力、ユーザ装置のタイプを含むように設定される。
【０１７７】
上記操作以外、本実施例が提供したユーザ装置は上記実施例1が提供したD2D発見方法を実現することができ、このため、基地局の他の操作については実施例1の関連内容を参照することができ、ここで繰り返して説明しない。
【０１７８】
実施例3
本実施例は基地局を説明し、以下の設定モジュール1501と送受信モジュール1502を少なくとも含む。
【０１７９】
設定モジュール1501は、ユーザ装置に発見信号リソースを配分し、前記発見信号リソースが発見信号を送信するための時間周波数領域リソースを含むように設定され、
幾つかの手段において、上記発見信号リソースは発見信号を送信するためのコードシーケンスリソースを更に含む。
【０１８０】
送受信モジュール1502は、ユーザ装置に配分した発見信号リソースをユーザ装置に通知するように設定される。
【０１８１】
好ましくは、送受信モジュール1502は、ブロードキャストにより発見信号リソースセットを送信し、又は
専有シグナリングによりユーザ装置に発見信号リソースを配分し、又は
ブロードキャストにより発見信号リソースセットを送信し、且つユーザ装置が選択した後、調整確認を行い、又は
専有シグナリングによりユーザ装置に発見信号リソースセットを送信し、ユーザ装置がそのうちから発見信号リソースを選択した後、調整確認を行い、又は
ブロードキャストにより発見信号リソースセットを送信し、ユーザ装置が受信した後発見信号リソースに対して測定するとともに報告し、そしてユーザ装置の測定結果によりユーザ装置のために適当な発見信号リソースを選択し、又は
専有シグナリングによりユーザ装置に発見信号リソースセットを送信し、ユーザ装置が受信した後発見信号リソースに対して測定するとともに報告し、そしてユーザ装置の測定結果によりユーザ装置のために適当な発見信号リソースを選択し、又は
ブロードキャストと専有シグナリングの組合せ方式によりユーザ装置に発見信号リソースを配分するように設定される。
【０１８２】
ブロードキャストと専有シグナリングの組合せ方式によりユーザ装置に発見信号リソースを配分するについての対応する過程は以下のものを参照する。
【０１８３】
送受信モジュール1502は発見信号リソースセットをブロードキャストし、設定された条件で、専有シグナリングによりユーザ装置に発見信号リソースを配分する。又は送受信モジュールは発見信号リソースセットをブロードキャストし、専有シグナリングによりユーザ装置に発見信号リソースシリアル番号指示を配分することにより、シリアル番号によって発見信号リソースセットから該ユーザ装置に配分した発見信号リソースを取得することをユーザ装置に指示する。
【０１８４】
上記設定モジュール1501がユーザ装置に配分した発見信号リソースは、
ユーザ装置の状態により異なる発見信号リソースを配分すること、
ユーザ装置の位置により異なる発見信号リソースを配分すること、
ユーザ装置のアプリケーションタイプにより、異なる発見信号リソースを配分すること、
ユーザ装置の優先度により異なる発見信号リソースを配分すること、との1種又は数種を少なくとも含む。
【０１８５】
また、設定モジュール1501は、異なる状態のユーザ装置に配分することができる発見信号リソースがグループAリソースとグループBリソースを含み、グループAリソースが、eNBが接続状態のユーザ装置に配分して使用する発見信号リソースであり、グループBリソースが、eNBがアイドル状態のユーザ装置に配分して使用する発見信号リソースであるように設定される。このうえに、設定モジュール1501は更に、グループAリソースプール及びグループBリソースプールにおけるリソースを動的に調整することができ、グループAとグループBのそれぞれのリソースプールにおけるリソース数の調整、及びリソースプールにおけるリソースの時間周波数及び/又はコードリソースの相互組合せの調整を含むように設定される。
【０１８６】
設定モジュール1501は、接続状態のユーザ装置のセルでの位置が異なることにより、異なるグループAリソースを配分するように設定される。例えば、eNBはセルエッジ領域にある接続状態のユーザ装置にセルエッジグループAリソースを配分し、セル中心領域にある接続状態のユーザ装置にセル中心グループAリソースを配分する。この際、対応する操作は実施例1の対応する内容を参照することができ、ここで繰り返して説明しない。
【０１８７】
なお、設定モジュール1501は、セルエッジ領域にある接続状態のユーザ装置にその隣接セルエッジ領域と異なるセルエッジグループAリソースを配分するように設定される。
【０１８８】
設定モジュール1501は、接続状態のユーザ装置がセルの異なる領域に移動する場合、再びそれに該セル領域に属するグループAリソースを配分するように設定される。
【０１８９】
同様に、設定モジュール1501は更に、グループAリソースにおける各セルエッジグループAリソースプールとセル中心グループAリソースプールのリソースを動的に調整することができ、各セルエッジグループAリソースプールとセル中心グループAリソースプールにおけるリソース数の調整、及びリソースプールにおけるリソースの時間周波数及び/又はコードリソースの相互組合せの調整を含むように設定される。
【０１９０】
好ましい手段において、設定モジュール1501は、グループAリソースを配分する際、まず高優先度の接続状態のユーザ装置に発見信号リソースを配分するように設定される。且つ、設定モジュール1501は、低優先度の接続状態のユーザ装置が使用するグループAリソースを、高優先度の接続状態のユーザ装置に配分するように設定される。
【０１９１】
設定モジュール1501はグループAリソースを配分する際、更に、ユーザ装置のアプリケーションタイプにより、発見信号リソースの使用可能な期限、発見信号の使用方式を配分するように設定され、
発見信号リソースの使用可能な期限はグループAリソースがユーザ装置に使用されることができる時間長さであり、
発見信号の使用された方式は発見信号を送信する周期、開始の具体的な位置又は開始及び偏移位置と持続的に送信した有効時間を含み、又は
発見信号の使用された方式は発見信号の使用された方式を導出する関連情報を含む。
【０１９２】
上記操作以外、ユーザ装置が事前にグループAリソースに対する使用を終了する可能性があり、この際、設定モジュール1501は、ユーザ装置が使用するグループAリソースの使用期限が満期する指示を送信する場合、使用するグループAリソースをリリースすることをユーザ装置に指示し、該グループAリソースを他のユーザ装置に配分するように設定され、
又は、ユーザ装置が該基地局へ契約延長申請を提出する際、契約延長申請を処理し、
設定モジュール1501が契約延長申請に行った処理は、契約延長同意、リソース変換、リソースリリースを含む。
【０１９３】
リソースの合理的な利用を考えて、更に手段を提出し、送受信モジュール1502は更に、
ユーザ装置の所在する位置領域に変化が発生すること、発見信号リソースが不足であること、発見信号リソースの使用に干渉問題が存在することのいずれかの場合に、使用するグループAリソースをリリースすることをあるユーザ装置に指示するように設定される。
【０１９４】
勿論、送受信モジュール1502は更に、ユーザ装置が送信した、事前にグループAリソースをリリースするメッセージ請求を受信するように設定される。このように、設定モジュールは、該基地局が上記メッセージ請求を受信した後、該グループAリソースを他のユーザ装置に配分することができる。
【０１９５】
上記のグループBリソースに対して、設定モジュール1501は更に、アイドル状態にあるユーザ装置にグループBリソースプールのリソースセットを配分するように設定される。この際、送受信モジュール1502は、ブロードキャストによりグループBリソースセット情報を、属するそのセルのアイドル状態のユーザ装置に送信するように設定される。
【０１９６】
なお、グループBリソースは設定モジュールが発見信号を使用する方式を予め設定し、
発見信号の使用された方式は発見信号を送信する周期、開始の具体的な位置又は開始及び偏移位置と持続的に送信した有効時間を含み、又は
発見信号の使用された方式は発見信号の使用された方式を導出する関連情報を含む。
【０１９７】
更に幾つかのシーンにおいて、送受信モジュール1502は更に、ユーザ装置及び/又は他のeNBが送信したリソース請求を受信し、該リソース請求がユーザ装置の能力、ユーザ装置のタイプを含むように設定される。この際、設定モジュール1501は、上記リソース請求を受信した後、ユーザ装置に発見信号リソースを配分するように設定される。
【０１９８】
当業者は、上記方法における全部又は一部のステップが、プログラムが関連のハードウェアを指令することにより完成することができ、前記プログラムがコンピュータ可読記憶媒体、例えば読み出し専用メモリ、ディスク又はＣＤなどに記憶することができることを理解することができる。選択的に、上記実施例の全部又は一部のステップは、１つ又は複数の集積回路を採用して達成することもできる。対応的に、上記実施例における各モジュール／ユニットはハードウェアの形式で達成してよく、ソフトウェア機能モジュールの形式で達成してもよい。本願はいずれの特定形式のハードウェアとソフトウェアの組み合わせに限定されたものではない。
【０１９９】
上記のものは単に本発明の好ましい実施例であるだけで、本発明の保護範囲を限定するためのものではない。本発明の精神と原則にある限り、行ったいずれの修正、等価置き換え、改善などは、いずれも本発明の保護範囲に含まれるべきである。
【産業上の利用可能性】
【０２００】
本実施例の技術的解決手段が提供したD2D発見過程において、発見信号リソースの使用手段はD2D発見の各種のシーンに柔軟に適用することができるだけでなく、且つリソース使用の衝突を減少することができ、それによりD2D発見の信頼性を向上させる。それだけでなく、本実施例が提供したD2D発見過程において、発見信号リソースの使用方法により更にeNBが発見信号リソースを統一に管理しやすい。
【図１】
2016519523.tif 000003
【図２】
2016519523.tif 000004
【図３】
2016519523.tif 000005
【図４】
2016519523.tif 000006
【図５】
2016519523.tif 000007
【図６】
2016519523.tif 000008
【図７】
2016519523.tif 000009
【図８】
2016519523.tif 000010
【図９】
2016519523.tif 000011
【図１０】
2016519523.tif 000012
【図１１】
2016519523.tif 000013
【図１２】
2016519523.tif 000014
【図１３】
2016519523.tif 000015
【図１４】
2016519523.tif 000016
【図１５】
2016519523.tif 000017
【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
ユーザ装置は基地局（eNB）がユーザ装置に配分した発見信号リソースを取得し、前記発見信号リソースは発見信号を送信又はモニターするための時間周波数領域リソース、及び/又は発見信号を送信又はモニターするためのコードシーケンスリソースを含むことと、
ユーザ装置はD2D発見操作を行う場合、取得した発見信号リソースにより発見信号を送信又はモニターすることによりD2D発見を行うことと、を含むデバイス間D2D発見方法。
【請求項２】
基地局がユーザ装置に配分した発見信号リソースは、
ユーザ装置の状態により配分された異なる発見信号リソース、
ユーザ装置の位置により配分された異なる発見信号リソース、
ユーザ装置のアプリケーションタイプにより配分された異なる発見信号リソース、及び
ユーザ装置の優先度により配分された異なる発見信号リソース、の中の1種又は数種を少なくとも含む請求項1に記載の方法。
【請求項３】
前記ユーザ装置が、基地局がユーザ装置に配分した発見信号リソースを取得することは、
ユーザ装置が、基地局がブロードキャストした発見信号リソースセットを受信すること、又は
基地局が専有シグナリングにより該ユーザ装置に配分した発見信号リソースを受信すること、又は
基地局がブロードキャストした発見信号リソースセットを受信し、そのうちから発見信号リソースを選択した後、基地局により調整確認を行うこと、又は
基地局が専有シグナリングにより該ユーザ装置に送信した発見信号リソースセットを受信し、ユーザ装置がそのうちから発見信号リソースを選択した後、eNBにより調整確認を行うこと、又は
基地局がブロードキャストした発見信号リソースセットを受信し、ユーザ装置が発見信号リソースに対して測定するとともに基地局に報告し、基地局がユーザ装置の測定結果によりユーザ装置のために適当な発見信号リソースを選択すること、又は
基地局が専有シグナリングにより該ユーザ装置に送信した発見信号リソースセットを受信し、ユーザ装置が発見信号リソースに対して測定するとともに基地局に報告し、基地局がユーザ装置の測定結果によりユーザ装置のために適当な発見信号リソースを選択すること、又は
基地局がブロードキャストと専有シグナリングの組合せ方式により該ユーザ装置に配分した発見信号リソースを受信すること、を含む請求項2に記載の方法。
【請求項４】
前記ユーザ装置が、基地局がブロードキャストと専有シグナリングの組合せ方式により該ユーザ装置に配分した発見信号リソースを受信することは、
設定された条件で、ユーザ装置は基地局がブロードキャストした発見信号リソースセットを受信し、及び基地局が専有シグナリングにより該ユーザ装置に配分した発見信号リソースを受信すること、又は
ユーザ装置は基地局がブロードキャストした発見信号リソースセットを受信し、及び基地局が専有シグナリングにより該ユーザ装置に配分した発見信号リソースシリアル番号指示を受信し、前記ユーザ装置は受信したシリアル番号指示により発見信号リソースセットから該ユーザ装置に配分した発見信号リソースを取得すること、を含む請求項3に記載の方法。
【請求項５】
ユーザ装置の状態は接続状態とアイドル状態を含む請求項2〜4のいずれか一項に記載の方法。
【請求項６】
前記基地局がユーザ装置の状態により配分した発見信号リソースは、グループAリソース及びグループBリソースを含み、
グループAリソースは基地局が接続状態のユーザ装置に配分して使用する発見信号リソースであり、
グループBリソースは基地局がアイドル状態のユーザ装置に配分して使用する発見信号リソースであり、
前記基地局がグループAリソースプール及びグループBリソースプールにおけるリソースを動的に調整することは、グループAリソースプールとグループBリソースプールのそれぞれのリソースプールにおけるリソース数の調整、及びリソースプールにおけるリソースの時間周波数及び/又はコードリソースの相互の間の組合せの調整を含む請求項5に記載の方法。
【請求項７】
ユーザ装置の位置はユーザ装置がセルエッジ又はセル中心にあることである請求項2に記載の方法。
【請求項８】
前記基地局は接続状態のユーザ装置のセルでの位置が異なることにより、異なるグループAリソースを配分し、
基地局はセルエッジ領域にある接続状態のユーザ装置にセルエッジグループAリソースを配分し、及び
基地局はセル中心領域にある接続状態のユーザ装置にセル中心グループAリソースを配分し、
基地局はセルエッジ領域にある接続状態のユーザ装置に前記セルの隣接セルエッジ領域と異なるセルエッジグループAリソースを配分し、
接続状態のユーザ装置がセルの異なる領域に移動する場合、基地局は再び前記接続状態のユーザ装置に、前記セル領域に属するグループAリソースを配分し、
基地局はグループAリソースにおける各セルエッジグループAリソースプールとセル中心グループAリソースプールのリソースを動的に調整し、各セルエッジグループAリソースプールとセル中心グループAリソースプールにおけるリソース数の調整、及びリソースプールにおけるリソースの時間周波数及び/又はコードリソースの相互の間の組合せの調整を含む請求項7に記載の方法。
【請求項９】
基地局はグループAリソースを配分する際、まず高優先度の接続状態のユーザ装置に発見信号リソースを配分し、
基地局は低優先度の接続状態のユーザ装置が使用するグループAリソースを高優先度の接続状態のユーザ装置に配分し、
基地局はグループAリソースを配分する場合、ユーザ装置のアプリケーションタイプにより、発見信号リソースの使用可能な期限、発見信号の使用方式を配分し、
前記発見信号リソースの使用可能な期限はグループAリソースがユーザ装置に使用されることができる時間長さであり、
前記発見信号の使用される方式は、発見信号を送信する周期、開始の具体的な位置又は開始及び偏移位置と持続的に送信する有効時間を含み、又は
前記発見信号の使用される方式は、発見信号の使用される方式を導出する関連情報を含み、
ユーザ装置の使用するグループAリソースの使用期限が満期した後、基地局は使用するグループAリソースをリリースすることをユーザ装置に指示し、前記グループAリソースを他のユーザ装置に配分し、
又は、ユーザ装置は使用するグループAリソースの使用期限が満期した後、まだ使用する必要がある場合、基地局へ契約延長申請を提出し、基地局は契約延長申請を処理し、
前記基地局が更新申請に対し行う処理は、契約延長同意、リソース変換、リソースリリースを含み、
ユーザ装置が使用するグループAリソースをリリースした後、まだ発見信号を使用する必要があると、再び基地局へ申請する必要があり、
前記基地局は、
ユーザ装置の所在する位置領域に変化が発生すること、発見信号リソースが不足であること、発見信号リソースの使用に干渉問題が存在すること、とのいずれかの場合に、使用するグループAリソースをリリースすることをユーザ装置に指示し、
ユーザ装置は配分されたグループAリソースの使用可能な期限が満期する前に、メッセージを送信して事前に該グループAリソースをリリースすることを請求し、基地局はメッセージを受信した後前記グループAリソースを他のユーザ装置に配分する請求項6に記載の方法。
【請求項１０】
前記基地局はアイドル状態にあるユーザ装置にグループBリソースプールのリソースセットを配分し、
前記基地局はブロードキャストによりグループBリソースセット情報を、属するセルのアイドル状態のユーザ装置に送信し、
アイドル状態のユーザ装置はグループBリソースセットを受信し、
アイドル状態のユーザ装置はグループBリソースセットから発見信号リソースを選択して発見情報を送信し、
アイドル状態のユーザ装置はグループBリソースセットに対応する発見信号リソースをモニターし、干渉が小さいリソースを選択し、
アイドル状態のユーザ装置が選択したグループBリソースはセル内に持続的に使用され、
グループBリソースは基地局により発見信号の使用される方式を予め設定され、
前記発見信号の使用される方式は、発見信号を送信する周期、開始の具体的な位置又は開始及び偏移位置と持続的に送信する有効時間を含み、又は
前記発見信号の使用される方式は発見信号の使用される方式を導出する関連情報を含み、
ユーザ装置はグループBリソースを使用する際、他のリソース及び/又は他の信号との干渉が大きいと発見すると、再びグループBリソースプールから適当なグループBリソースを選択し、多回に選択されたグループBリソース干渉がいずれも大きいと、ユーザ装置は無線リソース制御RRC接続確立を開始することができ、接続状態に進入し、グループAリソースを配分してD2D発見操作を行うことを基地局へ申請し、同時に基地局へグループBリソース干渉状態の指示をフィードバックし、
同じのグループBリソースセットを、ネットワーク管理システムが統一に設定し及び/又は異なる基地局が調整配分することができる請求項6に記載の方法。
【請求項１１】
基地局（eNB）がユーザ装置に配分した発見信号リソースを取得し、前記発見信号リソースが、発見信号を送信又はモニターするための時間周波数領域リソース、及び/又は発見信号を送信又はモニターするためのコードシーケンスリソースを含むように設定される取得モジュールと、
該ユーザ装置がデバイス間（D2D）発見操作を行う必要がある際、前記取得モジュールが取得した発見信号リソースにより発見信号を送信又はモニターすることによりD2D発見を行うように設定される処理モジュールと、を含み、
前記取得モジュールは、
eNBがブロードキャストした発見信号リソースセットを受信し、又は
eNBが専有シグナリングにより該ユーザ装置に配分した発見信号リソースを受信し、又は
eNBがブロードキャストした発見信号リソースセットを受信し、そのうちから発見信号リソースを選択した後、eNBにより調整確認を行い、又は
eNBが専有シグナリングにより該ユーザ装置に送信した発見信号リソースセットを受信し、そのうちから発見信号リソースを選択した後、eNBが調整確認を行い、又は
eNBがブロードキャストした発見信号リソースセットを受信し、発見信号リソースに対して測定するとともにeNBに報告し、eNBが前記取得モジュールの測定結果によりユーザ装置のために適当な発見信号リソースを選択し、又は
eNBが専有シグナリングにより該ユーザ装置に送信した発見信号リソースセットを受信し、発見信号リソースに対して測定するとともにeNBに報告し、eNBが前記取得モジュールの測定結果によりユーザ装置のために適当な発見信号リソースを選択し、又は
eNBがブロードキャストと専有シグナリングの組合せ方式により該ユーザ装置に配分した発見信号リソースを受信する、という方式により、基地局がユーザ装置に配分した発見信号リソースを取得し、
前記処理モジュールは更に、基地局へリソース請求を送信することにより該ユーザ装置に発見信号リソースを配分することを基地局に請求し、前記リソース請求がユーザ装置の能力、ユーザ装置のタイプを含むように設定されるユーザ装置。
【請求項１２】
ユーザ装置に発見信号リソースを配分し、前記発見信号リソースが、発見信号を送信するための時間周波数領域リソース、及び/又は発見信号を送信するためのコードシーケンスリソースを含むように設定される設定モジュールと、
ユーザ装置に配分する発見信号リソースをユーザ装置に通知するように設定される送受信モジュールと、を含み、
前記設定モジュールがユーザ装置に配分した発見信号リソースは、
ユーザ装置の状態により異なる発見信号リソースを配分すること、
ユーザ装置の位置により異なる発見信号リソースを配分すること、
ユーザ装置のアプリケーションタイプにより、異なる発見信号リソースを配分すること、
ユーザ装置の優先度により異なる発見信号リソースを配分すること、との1種又は数種を少なくとも含み、
前記送受信モジュールは、
ブロードキャストにより発見信号リソースセットを送信し、又は
専有シグナリングによりユーザ装置に発見信号リソースを配分し、又は
ブロードキャストにより発見信号リソースセットを送信し、且つユーザ装置が選択した後、調整確認を行い、又は
専有シグナリングによりユーザ装置に発見信号リソースセットを送信し、ユーザ装置がそのうちから発見信号リソースを選択した後、調整確認を行い、又は
ブロードキャストにより発見信号リソースセットを送信し、ユーザ装置が受信した後発見信号リソースに対して測定するとともに報告し、そしてユーザ装置の測定結果によりユーザ装置のために適当な発見信号リソースを選択し、又は
専有シグナリングによりユーザ装置に発見信号リソースセットを送信し、ユーザ装置が受信した後発見信号リソースに対して測定するとともに報告し、そしてユーザ装置の測定結果によりユーザ装置のために適当な発見信号リソースを選択し、又は
ブロードキャストと専有シグナリングの組合せ方式によりユーザ装置に発見信号リソースを配分する、という方式により、ユーザ装置に配分する発見信号リソースをユーザ装置に通知し、
前記送受信モジュールは、
前記送受信モジュールが発見信号リソースセットをブロードキャストし、設定された条件で、専有シグナリングによりユーザ装置に発見信号リソースを配分し、又は
前記送受信モジュールが発見信号リソースセットをブロードキャストし、専有シグナリングによりユーザ装置に発見信号リソースシリアル番号指示を配分することにより、シリアル番号によって発見信号リソースセットから該ユーザ装置に配分した発見信号リソースを取得することをユーザ装置に指示する、という方式により、ブロードキャストと専有シグナリングの組合せ方式によりユーザ装置に発見信号リソースを配分し、
前記送受信モジュールは更に、ユーザ装置及び/又は他のeNBが送信したリソース請求を受信し、前記リソース請求がユーザ装置の能力、ユーザ装置のタイプを含むように設定され、
前記設定モジュールは、前記リソース請求を受信した後、ユーザ装置に発見信号リソースを配分するように設定される基地局。
【請求項１３】
前記設定モジュールは、ユーザ装置の状態により発見信号リソースを配分し、前記発見信号リソースがグループAリソース及びグループBリソースを含み、
グループAリソースが、eNBが接続状態のユーザ装置に配分して使用する発見信号リソースであり、
グループBリソースが、eNBがアイドル状態のユーザ装置に配分して使用する発見信号リソースであるように設定され、
前記設定モジュールは更に、グループAリソースプール及びグループBリソースプールにおけるリソースを動的に調整し、グループAリソースプールとグループBリソースプールのそれぞれのリソースプールにおけるリソース数の調整、及びリソースプールにおけるリソースの時間周波数及び/又はコードリソースの相互の間の組合せの調整を含むように設定される請求項12に記載の基地局。
【請求項１４】
前記設定モジュールは、接続状態のユーザ装置のセルでの位置が異なることにより、異なるグループAリソースを配分するように設定され、
eNBはセルエッジ領域にある接続状態のユーザ装置にセルエッジグループAリソースを配分し、
eNBはセル中心領域にある接続状態のユーザ装置にセル中心グループAリソースを配分し、
前記設定モジュールは、セルエッジ領域にある接続状態のユーザ装置に、前記セルの隣接セルエッジ領域と異なるセルエッジグループAリソースを配分するように設定され、
前記設定モジュールは、接続状態のユーザ装置がセルの異なる領域に移動する場合、再び前記接続状態のユーザ装置に、前記セル領域に属するグループAリソースを配分するように設定され、
前記設定モジュールは、グループAリソースにおける各セルエッジグループAリソースプールとセル中心グループAリソースプールのリソースを動的に調整し、各セルエッジグループAリソースプールとセル中心グループAリソースプールにおけるリソース数の調整、及びリソースプールにおけるリソースの時間周波数及び/又はコードリソースの相互の間の組合せの調整を含むように設定され、
前記設定モジュールは、グループAリソースを配分する際、まず高優先度の接続状態のユーザ装置に発見信号リソースを配分するように設定され、
前記設定モジュールは、低優先度の接続状態のユーザ装置が使用するグループAリソースを、高優先度の接続状態のユーザ装置に配分するように設定され、
前記設定モジュールは、グループAリソースを配分する際、ユーザ装置のアプリケーションタイプにより、発見信号リソースの使用可能な期限、発見信号の使用方式を配分するように設定され、
前記発見信号リソースの使用可能な期限はグループAリソースがユーザ装置に使用されることができる時間長さであり、
前記発見信号の使用される方式は、発見信号を送信する周期、開始の具体的な位置又は開始及び偏移位置と持続的に送信する有効時間を含み、又は
前記発見信号の使用される方式は、発見信号の使用方式を導出する関連情報を含み、
前記設定モジュールは、ユーザ装置により、使用するグループAリソースの使用期限が満期する指示を送信する場合、使用するグループAリソースをリリースすることをユーザ装置に指示し、前記グループAリソースを他のユーザ装置に配分し、
又は、ユーザ装置が該基地局へ契約延長申請を提出する際、契約延長申請を処理するように設定され、
前記設定モジュールが契約延長申請に行った処理は契約延長同意、リソース変換、リソースリリースを含み、
前記送受信モジュールは更に、
ユーザ装置の所在する位置領域に変化が発生すること、発見信号リソースが不足であること、発見信号リソースの使用に干渉問題が存在すること、といういずれかの場合に、使用するグループAリソースをリリースすることをユーザ装置に指示するように設定され、
前記送受信モジュールは更に、ユーザ装置が送信した、事前にグループAリソースをリリースするメッセージ請求を受信するように設定され、
設定モジュールは更に、該基地局が前記メッセージ請求を受信した後、前記グループAリソースを他のユーザ装置に配分するように設定される請求項13に記載の基地局。
【請求項１５】
前記設定モジュールは、アイドル状態にあるユーザ装置にグループBリソースプールのリソースセットを配分するように設定され、
前記送受信モジュールは、ブロードキャストによりグループBリソースセット情報を、属するセルのアイドル状態のユーザ装置に送信するように設定され、
グループBリソースは設定モジュールにより発見信号の使用される方式を予め設定し、
前記発見信号の使用される方式は発見信号を送信する周期、開始の具体的な位置又は開始及び偏移位置と持続的に送信する有効時間を含み、又は
前記発見信号の使用される方式は発見信号の使用される方式を導出する関連情報を含む請求項13に記載の基地局。
【国際調査報告】
2016519523.tif 000018
2016519523.tif 000019
2016519523.tif 000020
2016519523.tif 000021